(57)【特許請求の範囲】
【請求項１】
モバイルデバイスの動作状態を判断することと、
前記モバイルデバイスの複数の干渉消去機能のうちの１つまたは複数を干渉消去機能の複数のグループにグループ化することと、
判断された前記動作状態に基づいて、干渉消去機能の前記複数のグループからの１つまたは複数のグループを非アクティブにすることと、
前記非アクティブすることのあとに、基地局に現在の干渉消去機能を報告すること、ここにおいて、前記現在の干渉消去機能が、干渉消去機能の前記複数のグループからの前記非アクティブすることの後にアクティブなままであるアクティブグループのセットを備える、と、
を備える、ワイヤレス通信の方法。
【請求項２】
前記動作状態が、
前記モバイルデバイスの周囲の無線状態と、
前記モバイルデバイスのバッテリー電力レベルと、
前記モバイルデバイスの電力消費レートと、
のうちの１つまたは複数を備える、請求項１に記載の方法。
【請求項３】
前記基地局から信号を受信することをさらに備え、
前記非アクティブにすることが、前記信号に応答して、干渉消去機能の前記複数のグループからの前記１つまたは複数のグループを非アクティブにすることを含む、請求項１に記載の方法。
【請求項４】
前記複数のグループが、
共通チャネル干渉消去機能グループと、
制御チャネル干渉消去機能グループと、
データチャネル干渉消去機能グループと、
のうちの２つ以上を備える、請求項１に記載の方法。
【請求項５】
前記共通チャネル干渉消去機能グループが、１次同期信号（ＰＳＳ）と、２次同期信号（ＳＳＳ）と、物理ブロードキャストチャネル（ＰＢＣＨ）と、共通基準信号（ＣＲＳ）とのうちの１つまたは複数のための干渉消去に関係する干渉消去機能を含み、
前記制御チャネル干渉消去機能グループが、物理制御フォーマットインジケータチャネル（ＰＣＦＩＣＨ）と、物理ハイブリッド自動再送要求（ＨＡＲＱ）インジケータチャネル（ＰＨＩＣＨ）と、物理ダウンリンク制御チャネル（ＰＤＣＣＨ）と、拡張ＰＤＣＣＨ（ｅＰＤＣＣＨ）とのうちの１つまたは複数のための干渉消去に関係する干渉消去機能を含み、
前記データチャネル干渉消去機能グループが、物理ダウンリンク共有チャネル（ＰＤＳＣＨ）のための干渉消去に関係する干渉消去機能を含む、
請求項４に記載の方法。
【請求項６】
基地局によってサービスされるモバイルデバイスからの現在の干渉消去機能報告を前記基地局において受信すること、ここにおいて、前記現在の干渉消去機能報告が、干渉消去機能の複数のグループのうちの干渉消去機能のアクティブグループのセットを含む、と、
前記基地局に対する前記モバイルデバイスの通信状態を判断することと、
前記現在の干渉消去機能報告に少なくとも部分的に基づいて前記通信状態を変更することと、
を備える、ワイヤレス通信の方法。
【請求項７】
干渉消去機能のアクティブグループの前記セットは、前記モバイルデバイスの複数の干渉消去機能のうちの１つまたは複数から前記モバイルデバイスによってグループ化される、請求項６に記載の方法。
【請求項８】
前記通信状態を変更することは、
干渉消去機能のアクティブグループの前記セットからの１つまたは複数を非アクティブにするために前記モバイルデバイスにシグナリングすること、ここにおいて、非アクティブ化のためにシグナリングされる干渉消去機能のアクティブグループの前記セットからの前記１つまたは複数が、前記現在の干渉消去機能報告に少なくとも部分的に基づいて判断される、を備える、請求項７に記載の方法。
【請求項９】
前記通信状態を変更することが、
前記現在の干渉消去機能報告に少なくとも部分的に基づいて判断された１つまたは複数のサブフレーム中の送信のために前記モバイルデバイスをスケジュールすることを備える、請求項７に記載の方法。
【請求項１０】
前記通信状態を変更することは、
前記モバイルデバイスに関連するチャネル品質インジケータ（ＣＱＩ）プロセスのバックオフループを調整することであって、前記調整することが、前記現在の干渉消去機能報告に少なくとも部分的に基づく、調整することを備える、請求項７に記載の方法。
【請求項１１】
モバイルデバイスの動作状態を判断するための手段と、
前記モバイルデバイスの複数の干渉消去機能のうちの１つまたは複数を干渉消去機能の複数のグループにグループ化するための手段と、
判断された前記動作状態に基づいて、干渉消去機能の前記複数のグループからの１つまたは複数のグループを非アクティブにするための手段と、
非アクティブするための前記手段の実行後に、基地局に現在の干渉消去機能を報告するための手段、ここにおいて、前記現在の干渉消去機能が、干渉消去機能の前記複数のグループからの非アクティブにするための前記手段の実行後にアクティブなままであるアクティブグループのセットを備える、と、
を備える、ワイヤレス通信のために構成された装置。
【請求項１２】
前記動作状態が、
前記モバイルデバイスの周囲の無線状態と、
前記モバイルデバイスのバッテリー電力レベルと、
前記モバイルデバイスの電力消費レートと、
のうちの１つまたは複数を備える、請求項１１に記載の装置。
【請求項１３】
前記基地局から信号を受信するための手段をさらに備え、
非アクティブにするための前記手段が、前記信号に応答して、干渉消去機能の前記複数のグループからの前記１つまたは複数のグループを非アクティブにするための手段を含む、請求項１１に記載の装置。
【請求項１４】
前記複数のグループが、
共通チャネル干渉消去機能グループと、
制御チャネル干渉消去機能グループと、
データチャネル干渉消去機能グループとのうちの２つ以上を備える、請求項１１に記載の装置。
【請求項１５】
前記共通チャネル干渉消去機能グループが、１次同期信号（ＰＳＳ）と、２次同期信号（ＳＳＳ）と、物理ブロードキャストチャネル（ＰＢＣＨ）と、共通基準信号（ＣＲＳ）とのうちの１つまたは複数のための干渉消去に関係する干渉消去機能を含み、
前記制御チャネル干渉消去機能グループが、物理制御フォーマットインジケータチャネル（ＰＣＦＩＣＨ）と、物理ハイブリッド自動再送要求（ＨＡＲＱ）インジケータチャネル（ＰＨＩＣＨ）と、物理ダウンリンク制御チャネル（ＰＤＣＣＨ）と、拡張ＰＤＣＣＨ（ｅＰＤＣＣＨ）とのうちの１つまたは複数のための干渉消去に関係する干渉消去機能を含み、
前記データチャネル干渉消去機能グループが、物理ダウンリンク共有チャネル（ＰＤＳＣＨ）のための干渉消去に関係する干渉消去機能を含む、
請求項１４に記載の装置。
【請求項１６】
基地局によってサービスされるモバイルデバイスからの現在の干渉消去機能報告を前記基地局において受信するための手段、ここにおいて、前記現在の干渉消去機能報告が、干渉消去機能の複数のグループのうちの干渉消去機能のアクティブグループのセットを含む、と、
前記基地局に対する前記モバイルデバイスの通信状態を判断するための手段と、
前記現在の干渉消去機能報告に少なくとも部分的に基づいて前記通信状態を変更するための手段と、
を備える、ワイヤレス通信の装置。
【請求項１７】
干渉消去機能のアクティブグループの前記セットは、前記モバイルデバイスの複数の干渉消去機能のうちの１つまたは複数から前記モバイルデバイスによってグループ化される、請求項１６に記載の装置。
【請求項１８】
前記通信状態を変更するための手段は、
干渉消去機能のアクティブグループの前記セットからの１つまたは複数を非アクティブにするために前記モバイルデバイスにシグナリングするための手段、ここにおいて、非アクティブ化のためにシグナリングされる干渉消去機能のアクティブグループの前記セットからの前記１つまたは複数が、前記現在の干渉消去機能報告に少なくとも部分的に基づいて判断される、を備える、請求項１７に記載の装置。
【請求項１９】
前記通信状態を変更するための手段が、
前記現在の干渉消去機能報告に少なくとも部分的に基づいて判断された１つまたは複数のサブフレーム中の送信のために前記モバイルデバイスをスケジュールするための手段を備える、請求項１７に記載の装置。
【請求項２０】
前記通信状態を変更するための手段は、
前記モバイルデバイスに関連するチャネル品質インジケータ（ＣＱＩ）プロセスのバックオフループを調整するための手段であって、前記調整することが、前記現在の干渉消去機能報告に少なくとも部分的に基づく、調整するための手段を備える、請求項１７に記載の装置。
【請求項２１】
ワイヤレスネットワークにおけるワイヤレス通信のためのプログラムコードを記録したコンピュータ可読記憶媒体であって、前記プログラムコードは、
モバイルデバイスの動作状態を判断するためのプログラムコードと、
前記モバイルデバイスの複数の干渉消去機能のうちの１つまたは複数を干渉消去機能の複数のグループにグループ化するためのプログラムコードと、
判断された前記動作状態に基づいて、干渉消去機能の前記複数のグループからの１つまたは複数のグループを非アクティブにするためのプログラムコードと、
非アクティブにするための前記プログラムコードの実行後に、基地局に現在の干渉消去機能を報告するためのプログラムコード、ここにおいて、前記現在の干渉消去機能が、干渉消去機能の前記複数のグループからの非アクティブにするための前記プログラムコードの実行後にアクティブなままであるアクティブグループのセットを備える、と、
を備える、コンピュータ可読記憶媒体。
【請求項２２】
前記動作状態が、
前記モバイルデバイスの周囲の無線状態と、
前記モバイルデバイスのバッテリー電力レベルと、
前記モバイルデバイスの電力消費レートとのうちの１つまたは複数を備える、請求項２１に記載のコンピュータ可読記憶媒体。
【請求項２３】
前記基地局から信号を受信するためのプログラムコードをさらに備え、
非アクティブにするための前記プログラムコードが、前記信号に応答して、干渉消去機能の前記複数のグループからの前記１つまたは複数のグループを非アクティブにするためのプログラムコードを含む、請求項２１に記載のコンピュータ可読記憶媒体。
【請求項２４】
前記複数のグループが、
共通チャネル干渉消去機能グループと、
制御チャネル干渉消去機能グループと、
データチャネル干渉消去機能グループと、
のうちの２つ以上を備える、請求項２１に記載のコンピュータ可読記憶媒体。
【請求項２５】
前記共通チャネル干渉消去機能グループが、１次同期信号（ＰＳＳ）と、２次同期信号（ＳＳＳ）と、物理ブロードキャストチャネル（ＰＢＣＨ）と、共通基準信号（ＣＲＳ）とのうちの１つまたは複数のための干渉消去に関係する干渉消去機能を含み、
前記制御チャネル干渉消去機能グループが、物理制御フォーマットインジケータチャネル（ＰＣＦＩＣＨ）と、物理ハイブリッド自動再送要求（ＨＡＲＱ）インジケータチャネル（ＰＨＩＣＨ）と、物理ダウンリンク制御チャネル（ＰＤＣＣＨ）と、拡張ＰＤＣＣＨ（ｅＰＤＣＣＨ）とのうちの１つまたは複数のための干渉消去に関係する干渉消去機能を含み、
前記データチャネル干渉消去機能グループが、物理ダウンリンク共有チャネル（ＰＤＳＣＨ）のための干渉消去に関係する干渉消去機能を含む、請求項２４に記載のコンピュータ可読記憶媒体。
【請求項２６】
ワイヤレスネットワークにおけるワイヤレス通信のためのプログラムコードを記録したコンピュータ可読記憶媒体であって、前記プログラムコードが、
基地局によってサービスされるモバイルデバイスからの現在の干渉消去機能報告を前記基地局において受信するためのプログラムコード、ここにおいて、前記現在の干渉消去機能報告が、干渉消去機能の複数のグループのうちの干渉消去機能のアクティブグループのセットを含む、と、
前記基地局に対する前記モバイルデバイスの通信状態を判断するためのプログラムコードと、
前記現在の干渉消去機能報告に少なくとも部分的に基づいて前記通信状態を変更するためのプログラムコードと、
を備える、コンピュータ可読記憶媒体。
【請求項２７】
干渉消去機能のアクティブグループの前記セットは、前記モバイルデバイスの複数の干渉消去機能のうちの１つまたは複数から前記モバイルデバイスによってグループ化される、請求項２６に記載のコンピュータ可読記憶媒体。
【請求項２８】
前記通信状態を変更するためのプログラムコードは、
干渉消去機能のアクティブグループの前記セットからの１つまたは複数を非アクティブにするために前記モバイルデバイスにシグナリングするためのプログラムコード、ここにおいて、非アクティブ化のためにシグナリングされる干渉消去機能のアクティブグループの前記セットからの前記１つまたは複数が、前記現在の干渉消去機能報告に少なくとも部分的に基づいて判断される、を備える、請求項２７に記載のコンピュータ可読記憶媒体。
【請求項２９】
前記通信状態を変更するためのプログラムコードが、
前記現在の干渉消去機能報告に少なくとも部分的に基づいて判断された１つまたは複数のサブフレーム中の送信のために前記モバイルデバイスをスケジュールするためのプログラムコードを備える、請求項２７に記載のコンピュータ可読記憶媒体。
【請求項３０】
前記通信状態を変更するためのプログラムコードは、
前記モバイルデバイスに関連するチャネル品質インジケータ（ＣＱＩ）プロセスのバックオフループを調整するためのプログラムコードであって、前記調整することが、前記現在の干渉消去機能報告に少なくとも部分的に基づく、調整するためのプログラムコードを備える、請求項２７に記載のコンピュータ可読記憶媒体。
【請求項３１】
少なくとも１つのプロセッサと、
前記少なくとも１つのプロセッサに結合されたメモリとを備える、ワイヤレス通信のために構成された装置であって、
前記少なくとも１つのプロセッサは、
モバイルデバイスの動作状態を判断することと、
前記モバイルデバイスの複数の干渉消去機能のうちの１つまたは複数を干渉消去機能の複数のグループにグループ化することと、
判断された前記動作状態に基づいて、干渉消去機能の前記複数のグループからの１つまたは複数のグループを非アクティブにすることと、
前記非アクティブにすることの後に、基地局に現在の干渉消去機能を報告すること、ここにおいて、前記現在の干渉消去機能が、干渉消去機能の前記複数のグループからの非アクティブ後にアクティブなままであるアクティブグループのセットを備える、と、
を行うように構成された、装置。
【請求項３２】
前記動作状態が、
前記モバイルデバイスの周囲の無線状態と、
前記モバイルデバイスのバッテリー電力レベルと、
前記モバイルデバイスの電力消費レートと、
のうちの１つまたは複数を備える、請求項３１に記載の装置。
【請求項３３】
前記少なくとも１つのプロセッサが、
前記基地局から信号を受信する、および
ここにおいて、非アクティブにするための前記少なくとも１つのプロセッサの前記構成が、前記信号に応答して、干渉消去機能の前記複数のグループからの前記１つまたは複数のグループを非アクティブにするための構成を含む、
ようにさらに構成された請求項３１に記載の装置。
【請求項３４】
前記複数のグループが、
共通チャネル干渉消去機能グループと、
制御チャネル干渉消去機能グループと、
データチャネル干渉消去機能グループと、
のうちの２つ以上を備える、請求項３１に記載の装置。
【請求項３５】
前記共通チャネル干渉消去機能グループが、１次同期信号（ＰＳＳ）と、２次同期信号（ＳＳＳ）と、物理ブロードキャストチャネル（ＰＢＣＨ）と、共通基準信号（ＣＲＳ）とのうちの１つまたは複数のための干渉消去に関係する干渉消去機能を含み、
前記制御チャネル干渉消去機能グループが、物理制御フォーマットインジケータチャネル（ＰＣＦＩＣＨ）と、物理ハイブリッド自動再送要求（ＨＡＲＱ）インジケータチャネル（ＰＨＩＣＨ）と、物理ダウンリンク制御チャネル（ＰＤＣＣＨ）と、拡張ＰＤＣＣＨ（ｅＰＤＣＣＨ）とのうちの１つまたは複数のための干渉消去に関係する干渉消去機能を含み、
前記データチャネル干渉消去機能グループが、物理ダウンリンク共有チャネル（ＰＤＳＣＨ）のための干渉消去に関係する干渉消去機能を含む、
請求項３４に記載の装置。
【請求項３６】
少なくとも１つのプロセッサと、
前記少なくとも１つのプロセッサに結合されたメモリと、
を備える、ワイヤレス通信のために構成された装置であって、
前記少なくとも１つのプロセッサが、
基地局によってサービスされるモバイルデバイスからの現在の干渉消去機能報告を前記基地局において受信すること、ここにおいて、前記現在の干渉消去機能報告が、干渉消去機能の複数のグループのうちの干渉消去機能のアクティブグループのセットを含む、と、
前記基地局に対する前記モバイルデバイスの通信状態を判断することと、
前記現在の干渉消去機能報告に少なくとも部分的に基づいて前記通信状態を変更することと、
を行うように構成された、装置。
【請求項３７】
干渉消去機能のアクティブグループの前記セットは、前記モバイルデバイスの複数の干渉消去機能のうちの１つまたは複数から前記モバイルデバイスによってグループ化される、請求項３６に記載の装置。
【請求項３８】
前記通信状態を変更するための前記少なくとも１つのプロセッサの構成は、
干渉消去機能のアクティブグループの前記セットからの１つまたは複数を非アクティブにするために前記モバイルデバイスにシグナリングすること、ここにおいて、非アクティブ化のためにシグナリングされる干渉消去機能のアクティブグループの前記セットからの前記１つまたは複数が、前記現在の干渉消去機能報告に少なくとも部分的に基づいて判断される、を行うための構成を備える、請求項３７に記載の装置。
【請求項３９】
前記通信状態を変更するための前記少なくとも１つのプロセッサの構成が、
前記現在の干渉消去機能報告に少なくとも部分的に基づいて判断された１つまたは複数のサブフレーム中の送信のために前記モバイルデバイスをスケジュールすることを行うための構成を備える、請求項３７に記載の装置。
【請求項４０】
前記通信状態を変更するための前記少なくとも１つのプロセッサの構成は、
前記モバイルデバイスに関連するチャネル品質インジケータ（ＣＱＩ）プロセスのバックオフループを調整することであって、前記調整することが、前記現在の干渉消去機能報告に少なくとも部分的に基づく、調整することを行うための構成を備える、請求項３７に記載の装置。
【発明の詳細な説明】
【技術分野】
【０００１】
関連出願
本特許出願は、本出願の譲受人に譲渡され、すべての目的のために参照により本明細書に明確に組み込まれる、２０１１年１１月４日に出願された「INCREMENTAL INTERFERENCE CANCELATION CAPABILITY AND SIGNALING」と題する仮出願第６１／５５６，０２０号の優先権を主張する。本特許出願はまた、本出願の譲受人に譲渡され、すべての目的のために参照により本明細書に明確に組み込まれる、２０１２年１０月２４日に出願された「INCREMENTAL INTERFERENCE CANCELATION CAPABILITY AND SIGNALING」と題する実用新案出願第１３／６５９，６３３号の優先権を主張する。
【０００２】
本開示の態様は、一般にワイヤレス通信システムに関し、より詳細には、インクリメンタル（incremental）干渉消去（ＩＣ：interference cancelation）機能およびシグナリングに関する。
【背景技術】
【０００３】
ワイヤレス通信ネットワークは、音声、ビデオ、パケットデータ、メッセージング、ブロードキャストなどの様々な通信サービスを提供するために広く展開されている。これらのワイヤレスネットワークは、利用可能なネットワークリソースを共有することによって複数のユーザをサポートすることが可能な多元接続ネットワークであり得る。そのようなネットワークは、通常、多元接続ネットワークであり、利用可能なネットワークリソースを共有することによって複数のユーザのための通信をサポートする。そのようなネットワークの一例はユニバーサル地上波無線アクセスネットワーク（ＵＴＲＡＮ：Universal Terrestrial Radio Access Network）である。ＵＴＲＡＮは、第３世代パートナーシッププロジェクト（３ＧＰＰ：3rd Generation Partnership Project）によってサポートされる第３世代（３Ｇ）モバイルフォン技術である、ユニバーサルモバイルテレコミュニケーションシステム（ＵＭＴＳ：Universal Mobile Telecommunications System）の一部として定義された無線アクセスネットワーク（ＲＡＮ）である。多元接続ネットワークフォーマットの例としては、符号分割多元接続（ＣＤＭＡ）ネットワーク、時分割多元接続（ＴＤＭＡ）ネットワーク、周波数分割多元接続（ＦＤＭＡ）ネットワーク、直交ＦＤＭＡ（ＯＦＤＭＡ）ネットワーク、およびシングルキャリアＦＤＭＡ（ＳＣ−ＦＤＭＡ）ネットワークがある。
【０００４】
ワイヤレス通信ネットワークは、いくつかのユーザ機器（ＵＥ）のための通信をサポートすることができるいくつかの基地局またはノードＢを含み得る。ＵＥは、ダウンリンクおよびアップリンクを介して基地局と通信し得る。ダウンリンク（または順方向リンク）は基地局からＵＥへの通信リンクを指し、アップリンク（または逆方向リンク）はＵＥから基地局への通信リンクを指す。
【０００５】
基地局は、ＵＥにダウンリンク上でデータおよび制御情報を送信し得、および／またはＵＥからアップリンク上でデータおよび制御情報を受信し得る。ダウンリンク上では、基地局からの送信は、ネイバー基地局からの送信、または他のワイヤレス無線周波数（ＲＦ）送信機からの送信による干渉に遭遇することがある。アップリンク上では、ＵＥからの送信は、ネイバー基地局と通信する他のＵＥのアップリンク送信からの干渉、または他のワイヤレスＲＦ送信器からの干渉に遭遇することがある。この干渉は、ダウンリンクとアップリンクの両方でパフォーマンスを劣化させることがある。
【０００６】
モバイルブロードバンドアクセスに対する需要が増加し続けるにつれて、干渉および輻輳ネットワークの可能性は、より多くのＵＥが長距離ワイヤレス通信ネットワークにアクセスし、より多くの短距離ワイヤレスシステムがコミュニティにおいて展開されるようになるとともに増大する。モバイルブロードバンドアクセスに対する増大する需要を満たすためだけでなく、モバイル通信のユーザエクスペリエンスを進化および向上させるためにもＵＭＴＳ技術を進化させる研究および開発が続けられている。
【発明の概要】
【０００７】
本開示の様々な態様はインクリメンタルＩＣ機能管理およびシグナリングを対象とする。ＵＥにおけるいくつかの検出された動作状態に応答して、ＵＥは、そのような動作状態を改善するために、非アクティブにすべき、ＵＥの個々のＩＣ機能のうちのいくつかを選択する。ＵＥは、それの現在アクティブなＩＣ機能をサービングｅＮＢに報告することになる。報告は、個々のアクティブなＩＣ機能を含んでいることがあり、または、ＵＥがそれの個々のＩＣ機能をより広いグループにグループ化する場合、報告は、アクティブなままであるグループへの参照を含むことになる。この現在のＩＣ機能情報を使用して、ｅＮＢは、報告しているＵＥの現在アクティブなＩＣ機能に対する現在の通信状態を検出し、分析することによって、報告しているＵＥに対する既存の通信状態を変更すべきかどうかを判断し得る。ｅＮＢは、いくつかのＩＣ機能をアクティブまたは非アクティブにするためにＵＥにシグナリングすることなどの行為を通して、そのような状態を変更する。ｅＮＢは、ＵＥのための通信スケジュールを変えること、ＱＩ報告のための制御ループを変更することなど、他の変更を行うことができる。
【０００８】
本開示の一態様では、ワイヤレス通信の方法は、モバイルデバイスの動作状態を判断することと、モバイルデバイスのいくつかの干渉消去機能のうちの１つまたは複数を干渉消去機能のいくつかのグループにグループ化することと、干渉消去機能の１つまたは複数のグループを非アクティブにすることと、基地局に現在の干渉消去機能を報告すること、ここにおいて、現在の干渉消去機能が、非アクティブにすることの後にアクティブなままである干渉消去機能のグループのうちの１つまたは複数のアクティブグループを備える、とを含む。
【０００９】
本開示の一態様では、ワイヤレス通信の方法は、基地局によってサービスされるモバイルデバイスからの現在の干渉消去機能報告を基地局において受信することと、基地局に対するモバイルデバイスの通信状態を判断することと、現在の干渉消去機能報告に少なくとも部分的に基づいて通信状態を変更することとを含む。
【００１０】
本開示の追加の態様では、ワイヤレス通信のために構成された装置は、モバイルデバイスの動作状態を判断するための手段と、モバイルデバイスのいくつかの干渉消去機能のうちの１つまたは複数を干渉消去機能のいくつかのグループにグループ化するための手段と、干渉消去機能のグループのうちの１つまたは複数のグループを非アクティブにするための手段と、基地局に現在の干渉消去機能を報告するための手段、ここにおいて、現在の干渉消去機能が、非アクティブにするための手段の実行後にアクティブなままである干渉消去機能のグループのうちの１つまたは複数のアクティブグループを備える、とを含む。
【００１１】
本開示の追加の態様では、ワイヤレス通信の装置は、基地局によってサービスされるモバイルデバイスからの現在の干渉消去機能報告を基地局において受信するための手段と、基地局に対するモバイルデバイスの通信状態を判断するための手段と、現在の干渉消去機能報告に少なくとも部分的に基づいて通信状態を変更するための手段とを含む。
【００１２】
本開示の追加の態様では、コンピュータプログラム製品は、プログラムコードを記録したコンピュータ可読媒体を有する。このプログラムコードは、モバイルデバイスの動作状態を判断するためのコードと、モバイルデバイスのいくつかの干渉消去機能のうちの１つまたは複数を干渉消去機能のいくつかのグループにグループ化するためのコードと、干渉消去機能のグループのうちの１つまたは複数のグループを非アクティブにするためのコードと、基地局に現在の干渉消去機能を報告するためのコード、ここにおいて、現在の干渉消去機能が、非アクティブにするためのプログラムコードの実行後にアクティブなままである干渉消去機能のグループのうちの１つまたは複数のアクティブグループを備える、とを含む。
【００１３】
本開示の追加の態様では、コンピュータプログラム製品は、プログラムコードを記録したコンピュータ可読媒体を有する。このプログラムコードは、基地局によってサービスされるモバイルデバイスからの現在の干渉消去機能報告を基地局において受信するためのコードと、基地局に対するモバイルデバイスの通信状態を判断するためのコードと、現在の干渉消去機能報告に少なくとも部分的に基づいて通信状態を変更するためのコードとを含む。
【００１４】
本開示の追加の態様では、装置は、少なくとも１つのプロセッサと、プロセッサに結合されたメモリとを含む。プロセッサは、モバイルデバイスの動作状態を判断することと、モバイルデバイスのいくつかの干渉消去機能のうちの１つまたは複数を干渉消去機能のいくつかのグループにグループ化することと、干渉消去機能のグループのうちの１つまたは複数のグループを非アクティブにすることと、基地局に現在の干渉消去機能を報告すること、ここにおいて、現在の干渉消去機能が、非アクティブ化後にアクティブなままである干渉消去機能のグループのうちの１つまたは複数のアクティブグループを備える、とを行うように構成される。
【００１５】
本開示の追加の態様では、装置は、少なくとも１つのプロセッサと、プロセッサに結合されたメモリとを含む。プロセッサは、基地局によってサービスされるモバイルデバイスからの現在の干渉消去機能報告を基地局において受信することと、基地局に対するモバイルデバイスの通信状態を判断することと、現在の干渉消去機能報告に少なくとも部分的に基づいて通信状態を変更することとを行うように構成される。
【図面の簡単な説明】
【００１６】
【図１】モバイル通信システムの一例を概念的に示すブロック図。
【図２】モバイル通信システムにおけるダウンリンクフレーム構造の一例を概念的に示すブロック図。
【図３】本開示の一態様による、異種ネットワークにおける時分割多重（ＴＤＭ）区分を概念的に示すブロック図。
【図４】本開示の一態様に従って構成された基地局／ｅＮＢおよびＵＥの設計を概念的に示すブロック図。
【図５】本開示の一態様に従って構成されたワイヤレスネットワーク中のセルを示すブロック図。
【図６】本開示の一態様に従って構成されたワイヤレスネットワーク中のセルを示すブロック図。
【図７】本開示の一態様を実装するために実行される例示的なブロックを示す機能ブロック図。
【図８】本開示の一態様を実装するために実行される例示的なブロックを示す機能ブロック図。
【図９】本開示の一態様に従って構成されたＵＥを示すブロック図。
【図１０】本開示の一態様に従って構成されたｅＮＢを示すブロック図。
【発明を実施するための形態】
【００１７】
添付の図面に関して以下に示す発明を実施するための形態は、様々な構成を説明するものであり、本明細書で説明する概念が実施され得る唯一の構成を表すものではない。発明を実施するための形態は、様々な概念の完全な理解を与えるための具体的な詳細を含む。ただし、これらの概念はこれらの具体的な詳細なしに実施され得ることが当業者には明らかであろう。いくつかの例では、そのような概念を不明瞭にしないように、よく知られている構造および構成要素をブロック図の形式で示す。
【００１８】
本明細書で説明する技法は、ＣＤＭＡ、ＴＤＭＡ、ＦＤＭＡ、ＯＦＤＭＡ、ＳＣ−ＦＤＭＡおよび他のネットワークなど、様々なワイヤレス通信ネットワークのために使用され得る。「ネットワーク」および「システム」という用語はしばしば互換的に使用される。ＣＤＭＡネットワークは、ユニバーサル地上波無線アクセス（ＵＴＲＡ：Universal Terrestrial Radio Access）、米国電気通信工業会（ＴＩＡ：Telecommunications Industry Association）のＣＤＭＡ２０００（登録商標）などの無線技術を実装し得る。ＵＴＲＡ技術は、広帯域ＣＤＭＡ（ＷＣＤＭＡ（登録商標））およびＣＤＭＡの他の変形態を含む。ＣＤＭＡ２０００（登録商標）技術は、米国電子工業会（ＥＩＡ：Electronics Industry Alliance）およびＴＩＡからのＩＳ−２０００、ＩＳ−９５およびＩＳ−８５６規格を含む。ＴＤＭＡネットワークは、モバイル通信用グローバルシステム（ＧＳＭ（登録商標）：Global System for Mobile Communications）などの無線技術を実装し得る。ＯＦＤＭＡネットワークは、Ｅｖｏｌｖｅｄ  ＵＴＲＡ（Ｅ−ＵＴＲＡ）、ウルトラモバイルブロードバンド（ＵＭＢ：Ultra Mobile Broadband）、ＩＥＥＥ８０２．１１（Ｗｉ−Ｆｉ（登録商標））、ＩＥＥＥ８０２．１６（ＷｉＭＡＸ（登録商標））、ＩＥＥＥ８０２．２０、Ｆｌａｓｈ−ＯＦＤＭＡなどの無線技術を実装し得る。ＵＴＲＡ技術およびＥ−ＵＴＲＡ技術はユニバーサルモバイルテレコミュニケーションシステム（ＵＭＴＳ）の一部である。３ＧＰＰロングタームエボリューション（ＬＴＥ：Long Term Evolution）およびＬＴＥ−Ａｄｖａｎｃｅｄ（ＬＴＥ−Ａ）は、Ｅ−ＵＴＲＡを使用するＵＭＴＳのより新しいリリースである。ＵＴＲＡ、Ｅ−ＵＴＲＡ、ＵＭＴＳ、ＬＴＥ、ＬＴＥ−ＡおよびＧＳＭは、「第３世代パートナーシッププロジェクト」（３ＧＰＰ）と呼ばれる団体からの文書に記載されている。ＣＤＭＡ２０００（登録商標）およびＵＭＢは、「第３世代パートナーシッププロジェクト２」（３ＧＰＰ２：3rd Generation Partnership Project 2）と呼ばれる団体からの文書に記載されている。本明細書で説明する技法は、上記のワイヤレスネットワークおよび無線アクセス技術、ならびに他のワイヤレスネットワークおよび無線アクセス技術に使用され得る。明快のために、本技法のいくつかの態様について以下では、ＬＴＥまたはＬＴＥ−Ａ（代替として一緒に「ＬＴＥ／−Ａ」と呼ばれる）に関して説明し、以下の説明の大部分ではそのようなＬＴＥ／−Ａ用語を使用する。
【００１９】
図１に、通信のためのワイヤレスネットワーク１００を示し、これはＬＴＥ−Ａネットワークであり得る。ワイヤレスネットワーク１００は、いくつかの発展型ノードＢ（ｅＮＢ）１１０と他のネットワークエンティティとを含む。ｅＮＢは、ＵＥと通信する固定局であり得、基地局、ノードＢ、アクセスポイントなどとも呼ばれる。各ｅＮＢ１１０は、特定の地理的エリアに通信カバレージを与え得る。３ＧＰＰでは、「セル」という用語は、この用語が使用される状況に応じて、ｅＮＢのこの特定の地理的カバレージエリアおよび／またはこのカバレージエリアをサービスするｅＮＢサブシステムを指すことがある。
【００２０】
ｅＮＢは、マクロセル、ピコセル、フェムトセル、および／または他のタイプのセルに通信カバレージを与え得る。マクロセルは、概して、比較的大きい地理的エリア（たとえば、半径数キロメートル）をカバーし、サービスに加入しているＵＥによるネットワークプロバイダとの無制限アクセスを可能にし得る。ピコセルは、概して、比較的小さい地理的エリアをカバーすることになり、サービスに加入しているＵＥによるネットワークプロバイダとの無制限アクセスを可能にし得る。また、フェムトセルは、概して、比較的小さい地理的エリア（たとえば、自宅）をカバーすることになり、無制限アクセスに加えて、フェムトセルとの関連を有するＵＥ（たとえば、限定加入者グループ（ＣＳＧ：closed subscriber group）中のＵＥ、自宅内のユーザのためのＵＥなど）による限定アクセスを可能にし得る。マクロセルのためのｅＮＢはマクロｅＮＢと呼ばれることがある。ピコセルのためのｅＮＢはピコｅＮＢと呼ばれることがある。また、フェムトセルのためのｅＮＢはフェムトｅＮＢまたはホームｅＮＢと呼ばれることがある。図１に示す例では、ｅＮＢ１１０ａ、１１０ｂおよび１１０ｃは、それぞれマクロセル１０２ａ、１０２ｂおよび１０２ｃのためのマクロｅＮＢである。ｅＮＢ１１０ｘは、ピコセル１０２ｘのためのピコｅＮＢである。また、ｅＮＢ１１０ｙおよび１１０ｚは、それぞれフェムトセル１０２ｙおよび１０２ｚのためのフェムトｅＮＢである。ｅＮＢは、１つまたは複数の（たとえば、２つ、３つ、４つなどの）セルをサポートし得る。
【００２１】
ワイヤレスネットワーク１００は、同期動作または非同期動作をサポートし得る。同期動作の場合、ｅＮＢは同様のフレームタイミングを有し得、異なるｅＮＢからの送信は近似的に時間的に整合され得る。非同期動作の場合、ｅＮＢは異なるフレームタイミングを有し得、異なるｅＮＢからの送信は時間的に整合されないことがある。本明細書で説明する技法は、同期動作または非同期動作のいずれかのために使用され得る。
【００２２】
ネットワークコントローラ１３０は、ｅＮＢのセットに結合し、これらのｅＮＢの協調および制御を行い得る。ネットワークコントローラ１３０は、バックホール１３２を介してｅＮＢ１１０と通信し得る。ｅＮＢ１１０はまた、たとえば、ワイヤレスバックホール１３４またはワイヤラインバックホール１３６を介して直接または間接的に互いに通信し得る。
【００２３】
ＵＥ１２０はワイヤレスネットワーク１００全体にわたって分散され、各ＵＥは固定またはモバイルであり得る。ＵＥは、端末、移動局、加入者ユニット、局などと呼ばれることもある。ＵＥは、セルラーフォン、携帯情報端末（ＰＤＡ）、ワイヤレスモデム、ワイヤレス通信デバイス、ハンドヘルドデバイス、タブレットコンピュータ、ラップトップコンピュータ、コードレスフォン、ワイヤレスローカルループ（ＷＬＬ）局などであり得る。ＵＥは、マクロｅＮＢ、ピコｅＮＢ、フェムトｅＮＢ、リレーなどと通信することが可能であり得る。図１において、両矢印付きの実線は、ダウンリンクおよび／またはアップリンク上での、ＵＥと、そのＵＥをサービスするように指定されたｅＮＢであるサービングｅＮＢとの間の所望の送信を示す。両矢印付きの破線は、ＵＥとｅＮＢとの間の干渉送信を示す。
【００２４】
ＬＴＥ／−Ａは、ダウンリンク上では直交周波数分割多重（ＯＦＤＭ）を利用し、アップリンク上ではシングルキャリア周波数分割多重（ＳＣ−ＦＤＭ）を利用する。ＯＦＤＭおよびＳＣ−ＦＤＭは、システム帯域幅を、一般にトーン、ビンなどとも呼ばれる複数（Ｋ個）の直交サブキャリアに区分する。各サブキャリアはデータで変調され得る。概して、変調シンボルは、ＯＦＤＭの場合は周波数領域で、ＳＣ−ＦＤＭの場合は時間領域で送られる。隣接するサブキャリア間の間隔は固定であり得、サブキャリアの総数（Ｋ）はシステム帯域幅に依存し得る。たとえば、Ｋは、１．２５、２．５、５、１０、または２０メガヘルツ（ＭＨｚ）の対応するシステム帯域幅に対してそれぞれ１２８、２５６、５１２、１０２４または２０４８に等しくなり得る。システム帯域幅はまた、サブバンドに区分され得る。たとえば、サブバンドは１．０８ＭＨｚをカバーし得、１．２５、２．５、５、１０、または２０ＭＨｚの対応するシステム帯域幅に対してそれぞれ１つ、２つ、４つ、８つ、または１６個のサブバンドがあり得る。
【００２５】
図２に、ＬＴＥ／−Ａにおいて使用されるダウンリンクフレーム構造を示す。ダウンリンクの送信タイムラインは、無線フレームの単位に区分され得る。各無線フレームは、所定の持続時間（たとえば、１０ミリ秒（ｍｓ））を有し得、０〜９のインデックスをもつ１０個のサブフレームに区分され得る。各サブフレームは２つのスロットを含み得る。したがって、各無線フレームは、０〜１９のインデックスをもつ２０個のスロットを含み得る。各スロットは、Ｌ個のシンボル期間、たとえば、（図２に示すように）ノーマルサイクリックプレフィックスの場合は７つのシンボル期間、または拡張サイクリックプレフィックスの場合は６つのシンボル期間を含み得る。各サブフレーム中の２Ｌ個のシンボル期間には０〜２Ｌ−１のインデックスが割り当てられ得る。利用可能な時間周波数リソースはリソースブロックに区分され得る。各リソースブロックは、１つのスロット中でＮ個のサブキャリア（たとえば、１２個のサブキャリア）をカバーし得る。
【００２６】
ＬＴＥ／−Ａでは、ｅＮＢは、ｅＮＢ中の各セルについて１次同期信号（ＰＳＳ）と２次同期信号（ＳＳＳ）とを送り得る。１次同期信号および２次同期信号は、図２に示すように、それぞれ、ノーマルサイクリックプレフィックスをもつ各無線フレームのサブフレーム０および５の各々中のシンボル期間６および５中で送られ得る。同期信号は、セル検出および捕捉のためにＵＥによって使用され得る。ｅＮＢは、サブフレーム０のスロット１中のシンボル期間０〜３中で物理ブロードキャストチャネル（ＰＢＣＨ：Physical Broadcast Channel）を送り得る。ＰＢＣＨはあるシステム情報を搬送し得る。
【００２７】
ｅＮＢは、図２に示すように、各サブフレームの第１のシンボル期間中に物理制御フォーマットインジケータチャネル（ＰＣＦＩＣＨ：Physical Control Format Indicator Channel）を送り得る。ＰＣＦＩＣＨは、制御チャネルのために使用されるいくつか（Ｍ個）のシンボル期間を搬送し得、ここで、Ｍは、１、２または３に等しくなり得、サブフレームごとに変化し得る。Ｍはまた、たとえば、リソースブロックが１０個未満である、小さいシステム帯域幅では４に等しくなり得る。図２に示す例では、Ｍ＝３である。ｅＮＢは、各サブフレームの最初のＭ個のシンボル期間中に物理ＨＡＲＱインジケータチャネル（ＰＨＩＣＨ：Physical HARQ Indicator Channel）と物理ダウンリンク制御チャネル（ＰＤＣＣＨ：Physical Downlink Control Channel）とを送り得る。図２に示す例でも、ＰＤＣＣＨおよびＰＨＩＣＨは最初の３つのシンボル期間中に含まれている。ＰＨＩＣＨは、ハイブリッド自動再送信（ＨＡＲＱ）をサポートするための情報を搬送し得る。ＰＤＣＣＨは、ＵＥのためのリソース割振りに関する情報と、ダウンリンクチャネルのための制御情報とを搬送し得る。ｅＮＢは、各サブフレームの残りのシンボル期間中に物理ダウンリンク共有チャネル（ＰＤＳＣＨ：Physical Downlink Shared Channel）を送り得る。ＰＤＳＣＨは、ダウンリンク上でのデータ送信のためにスケジュールされたＵＥのためのデータを搬送し得る。
【００２８】
新しい特徴を扱うために、拡張ＰＤＣＣＨ（ｅＰＤＣＣＨ：enhanced PDCCH）が高度制御チャネルとして提案されている。従来のＰＤＣＣＨ制御チャネルとは異なり、ｅＰＤＣＣＨは、リソースブロックの一部を使用し、１つのサブフレーム中でダウンリンク共有チャネル（データチャネル）の残りのシンボルを占有するように設計される。ｅＰＤＣＣＨは、制御シグナリングが、データと同じ利得機構、すなわち、周波数領域スケジューリングおよびビームフォーミングから恩恵を受けることを可能にする。
【００２９】
各サブフレームの制御セクション中で、すなわち、各サブフレームの第１のシンボル期間中でＰＨＩＣＨとＰＤＣＣＨとを送ることに加えて、ＬＴＥ−Ａはまた、各サブフレームのデータ部分中でもこれらの制御指向チャネルを送信し得る。図２に示すように、データ領域を利用するこれらの新しい制御設計、たとえば、リレー物理ダウンリンク制御チャネル（Ｒ−ＰＤＣＣＨ：Relay-Physical Downlink Control Channel）およびリレー物理ＨＡＲＱインジケータチャネル（Ｒ−ＰＨＩＣＨ：Relay-Physical HARQ Indicator Channel）は、各サブフレームの後のシンボル期間中に含まれる。Ｒ−ＰＤＣＣＨは、最初に半二重リレー動作のコンテキストにおいて開発された、データ領域を利用する新しいタイプの制御チャネルである。１つのサブフレーム中の最初のいくつかの制御シンボルを占有するレガシーＰＤＣＣＨおよびＰＨＩＣＨとは異なり、Ｒ−ＰＤＣＣＨおよびＲ−ＰＨＩＣＨは、最初にデータ領域として指定されたリソース要素（ＲＥ）にマッピングされる。新しい制御チャネルは、周波数分割多重（ＦＤＭ）、時分割多重（ＴＤＭ）、またはＦＤＭとＴＤＭとの組合せの形態であり得る。
【００３０】
ｅＮＢは、ｅＮＢによって使用されるシステム帯域幅の中心１．０８ＭＨｚにおいてＰＳＳ、ＳＳＳおよびＰＢＣＨを送り得る。ｅＮＢは、これらのチャネルが送られる各シンボル期間中のシステム帯域幅全体にわたってＰＣＦＩＣＨおよびＰＨＩＣＨを送り得る。ｅＮＢは、システム帯域幅のいくつかの部分においてＵＥのグループにＰＤＣＣＨを送り得る。ｅＮＢは、システム帯域幅の特定の部分において特定のＵＥにＰＤＳＣＨを送り得る。ｅＮＢは、すべてのＵＥにブロードキャスト方式でＰＳＳ、ＳＳＳ、ＰＢＣＨ、ＰＣＦＩＣＨおよびＰＨＩＣＨを送り得、特定のＵＥにユニキャスト方法でＰＤＣＣＨを送り得、また特定のＵＥにユニキャスト方法でＰＤＳＣＨを送り得る。
【００３１】
各シンボル期間においていくつかのリソース要素が利用可能であり得る。各リソース要素は、１つのシンボル期間中の１つのサブキャリアをカバーし得、実数値または複素数値であり得る１つの変調シンボルを送るために使用され得る。各シンボル期間中に基準信号のために使用されないリソース要素は、リソース要素グループ（ＲＥＧ：resource element group）に構成され得る。各ＲＥＧは、４つのリソース要素を１つのシンボル期間中に含み得る。ＰＣＦＩＣＨは、シンボル期間０において、周波数上でほぼ等しく離間され得る、４つのＲＥＧを占有し得る。ＰＨＩＣＨは、１つまたは複数の構成可能なシンボル期間において、周波数上で拡散され得る、３つのＲＥＧを占有し得る。たとえば、ＰＨＩＣＨ用の３つのＲＥＧは、すべてシンボル期間０中に属するか、またはシンボル期間０、１および２中で拡散され得る。ＰＤＣＣＨは、最初のＭ個のシンボル期間において、利用可能なＲＥＧから選択され得る、９、１８、３２または６４個のＲＥＧを占有し得る。ＲＥＧのいくつかの組合せのみがＰＤＣＣＨに対して可能にされ得る。
【００３２】
ＵＥは、ＰＨＩＣＨおよびＰＣＦＩＣＨのために使用される特定のＲＥＧを知り得る。ＵＥは、ＰＤＣＣＨのためのＲＥＧの様々な組合せを探索し得る。探索する組合せの数は、一般に、ＰＤＣＣＨに対して可能にされた組合せの数よりも少ない。ｅＮＢは、ＵＥが探索することになる組合せのいずれかにおいてＵＥにＰＤＣＣＨを送り得る。
【００３３】
ＵＥは、複数のｅＮＢのカバレージ内にあり得る。そのＵＥをサービスするために、これらのｅＮＢのうちの１つが選択され得る。サービングｅＮＢは、受信電力、経路損失、信号対雑音比（ＳＮＲ）など、様々な基準に基づいて選択され得る。
【００３４】
再び図１を参照すると、ワイヤレスネットワーク１００は、システムの単位面積当たりのスペクトル効率を改善するために、ｅＮＢ１１０の多様なセット（すなわち、マクロｅＮＢ、ピコｅＮＢ、フェムトｅＮＢ、およびリレー）を使用する。ワイヤレスネットワーク１００は、それのスペクトルカバレージのためにそのような異なるｅＮＢを使用するので、それは異種ネットワークと呼ばれることもある。マクロｅＮＢ１１０ａ〜ｃは、通常、ワイヤレスネットワーク１００のプロバイダによって慎重に計画され、配置される。マクロｅＮＢ１１０ａ〜ｃは、概して、高電力レベル（たとえば、５Ｗ〜４０Ｗ）で送信する。ピコｅＮＢ１１０ｘは、概して、かなり低い電力レベル（たとえば、１００ｍＷ〜２Ｗ）で送信し、マクロｅＮＢ１１０ａ〜ｃによって与えられたカバレージエリア中のカバレージホールを除去し、ホットスポットにおける容量を改善するために比較的無計画に展開され得る。とはいえ、一般にワイヤレスネットワーク１００とは無関係に展開されるフェムトｅＮＢ１１０ｙ〜ｚは、それらの（１人または複数の）管理者によって許可された場合、ワイヤレスネットワーク１００への潜在的なアクセスポイントとして、または少なくとも、リソース協調および干渉管理の協調を実行するためにワイヤレスネットワーク１００の他のｅＮＢ１１０と通信し得る、アクティブでアウェアなｅＮＢとして、ワイヤレスネットワーク１００のカバレージエリアに組み込まれ得る。フェムトｅＮＢ１１０ｙ〜ｚはまた、一般に、マクロｅＮＢ１１０ａ〜ｃよりもかなり低い電力レベル（たとえば、１００ｍＷ〜２Ｗ）で送信する。
【００３５】
ワイヤレスネットワーク１００など、異種ネットワークの動作では、各ＵＥは、通常、より良い信号品質をもつｅＮＢ１１０によってサービスされ、他のｅＮＢ１１０から受信した不要な信号は干渉として扱われる。そのような動作原理は、著しく準最適なパフォーマンスをもたらすことがあるが、ｅＮＢ１１０の間のインテリジェントリソース協調と、より良いサーバ選択ストラテジと、効率的な干渉管理のためのより高度の技法とを使用することによって、ワイヤレスネットワーク１００においてネットワークパフォーマンスの利得が実現される。
【００３６】
ピコｅＮＢ１１０ｘなどのピコｅＮＢは、マクロｅＮＢ１１０ａ〜ｃなどのマクロｅＮＢと比較したとき、かなり低い送信電力によって特徴づけられる。ピコｅＮＢはまた、通常、ワイヤレスネットワーク１００などのネットワークの周りにアドホックに配置される。この無計画展開のために、ワイヤレスネットワーク１００など、ピコｅＮＢ配置をもつワイヤレスネットワークは、干渉状態に対して低信号の広いエリアを有することが記載され得、それは、カバレージエリアまたはセルのエッジ上のＵＥ（「セルエッジ」ＵＥ）への制御チャネル送信に関してより困難なＲＦ環境に役立つことができる。さらに、マクロｅＮＢ１１０ａ〜ｃの送信電力レベルとピコｅＮＢ１１０ｘの送信電力レベルとの間の潜在的に大きい格差（たとえば、約２０ｄＢ）は、混合展開において、ピコｅＮＢ１１０ｘのダウンリンクカバレージエリアがマクロｅＮＢ１１０ａ〜ｃのそれよりもはるかに小さいことを意味する。
【００３７】
しかしながら、アップリンクの場合、アップリンク信号の信号強度は、ＵＥによって支配され、したがって、どのタイプのｅＮＢ１１０によって受信されたときでも同様である。ｅＮＢ１１０のためのアップリンクカバレージエリアがほぼ同じまたは同様であれば、チャネル利得に基づいてアップリンクハンドオフ境界が判断されることになる。これは、ダウンリンクハンドオーバ境界とアップリンクハンドオーバ境界との間の不一致をもたらし得る。追加のネットワーク適応がなければ、不一致により、ワイヤレスネットワーク１００におけるサーバ選択またはｅＮＢへのＵＥの関連付けは、ダウンリンクハンドオーバ境界とアップリンクハンドオーバ境界とがより厳密に一致するマクロｅＮＢ専用同種ネットワークにおけるよりも困難になるであろう。
【００３８】
サーバ選択が主にダウンリンク受信信号強度に基づく場合、ワイヤレスネットワーク１００のような異種ネットワークの混合ｅＮＢ展開の有用性は大幅に減少されよう。これは、マクロｅＮＢ１１０ａ〜ｃのような、より高電力のマクロｅＮＢのより広いカバレージエリアが、ピコｅＮＢ１１０ｘのような、ピコｅＮＢを用いてセルカバレージを分割することの利点を限定するためであり、なぜなら、マクロｅＮＢ１１０ａ〜ｃのより高いダウンリンク受信信号強度が利用可能なすべてのＵＥを引きつける一方で、ピコｅＮＢ１１０ｘはそれのはるかに弱いダウンリンク送信電力のためにどのＵＥをもサービスしないことがあるからである。さらに、マクロｅＮＢ１１０ａ〜ｃは、それらのＵＥを効率的にサービスするために十分なリソースを有しない可能性がある。したがって、ワイヤレスネットワーク１００は、ピコｅＮＢ１１０ｘのカバレージエリアを拡張することによってマクロｅＮＢ１１０ａ〜ｃとピコｅＮＢ１１０ｘとの間で負荷をアクティブに分散させようと試みる。この概念は、範囲拡張と呼ばれる。
【００３９】
ワイヤレスネットワーク１００は、サーバ選択が判断される方式を変更することによってこの範囲拡張を達成する。サーバ選択がダウンリンク受信信号強度に基づく代わりに、選択はダウンリンク信号の品質にいっそう基づく。１つのそのような品質ベースの判断では、サーバ選択は、ＵＥに最小の経路損失を与えるｅＮＢを判断することに基づき得る。さらに、ワイヤレスネットワーク１００は、マクロｅＮＢ１１０ａ〜ｃとピコｅＮＢ１１０ｘとの間で均等にリソースの固定の区分を行う。しかしながら、このアクティブな負荷分散を伴う場合でも、ピコｅＮＢ１１０ｘなどのピコｅＮＢによってサービスされるＵＥに対するマクロｅＮＢ１１０ａ〜ｃからのダウンリンク干渉は緩和されるべきである。これは、ＵＥにおける干渉消去、ｅＮＢ１１０間のリソース協調などを含む様々な方法によって達成され得る。
【００４０】
ワイヤレスネットワーク１００など、範囲拡張を用いる異種ネットワークでは、ＵＥが、マクロｅＮＢ１１０ａ〜ｃなどのより高電力のｅＮＢから送信されたより強いダウンリンク信号の存在下でピコｅＮＢ１１０ｘなどのより低電力のｅＮＢからサービスを取得するために、ピコｅＮＢ１１０ｘは、マクロｅＮＢ１１０ａ〜ｃのうちの支配的干渉マクロｅＮＢとの制御チャネルおよびデータチャネル干渉協調に関与する。干渉を管理するために、干渉協調のための多くの異なる技法が採用され得る。たとえば、同一チャネル展開中のセルからの干渉を低減するために、セル間干渉協調（ＩＣＩＣ）が使用され得る。１つのＩＣＩＣ機構は適応リソース区分である。適応リソース区分は、いくつかのｅＮＢにサブフレームを割り当てる。第１のｅＮＢに割り当てられたサブフレーム中ではネイバーｅＮＢが送信しない。したがって、第１のｅＮＢによってサービスされるＵＥが受ける干渉が低減される。サブフレーム割当ては、アップリンクとダウンリンクの両方のチャネル上で実行され得る。
【００４１】
たとえば、サブフレームは、保護サブフレーム（Ｕサブフレーム）と、禁止サブフレーム（Ｎサブフレーム）と、共通サブフレーム（Ｃサブフレーム）とのサブフレームの３つのクラスの間で割り振られ得る。保護サブフレームは、第１のｅＮＢによって排他的に使用するために第１のｅＮＢに割り当てられる。保護サブフレームは、隣接ｅＮＢからの干渉がないことに基づき「クリーン」サブフレームと呼ばれることもある。禁止サブフレームはネイバーｅＮＢに割り当てられたサブフレームであり、第１のｅＮＢは、禁止サブフレーム中でデータを送信することを禁止される。たとえば、第１のｅＮＢの禁止サブフレームは、第２の干渉ｅＮＢの保護サブフレームに対応し得る。したがって、第１のｅＮＢは、第１のｅＮＢの保護サブフレーム中でデータを送信する唯一のｅＮＢである。共通サブフレームは、複数のｅＮＢによってデータ送信のために使用され得る。共通サブフレームは、他のｅＮＢからの干渉の可能性があるため「非クリーン」サブフレームと呼ばれることもある。
【００４２】
期間ごとに少なくとも１つの保護サブフレームが静的に割り当てられる。場合によっては、ただ１つの保護サブフレームが静的に割り当てられる。たとえば、期間が８ミリ秒である場合、８ミリ秒ごとに１つの保護サブフレームがｅＮＢに静的に割り当てられ得る。他のサブフレームが動的に割り振られ得る。
【００４３】
適応リソース区分情報（ＡＲＰＩ：adaptive resource partitioning information）は、非静的に割り当てられたサブフレームが動的に割り振られることを可能にする。保護、禁止、共通の任意のサブフレームが動的に割り振られ得る（それぞれ、ＡＵ、ＡＮ、ＡＣサブフレーム）。動的割当ては、たとえば、１００ミリ秒ごとにまたはそれ以下などで、急速に変化し得る。
【００４４】
異種ネットワークは、異なる電力クラスのｅＮＢを有し得る。たとえば、３つの電力クラスが、電力クラスの高いものから順に、マクロｅＮＢ、ピコｅＮＢ、およびフェムトｅＮＢとして定義され得る。マクロｅＮＢとピコｅＮＢとフェムトｅＮＢとが同一チャネル展開中にあるとき、マクロｅＮＢ（アグレッサ（aggressor）ｅＮＢ）の電力スペクトル密度（ＰＳＤ：power spectral density）は、ピコｅＮＢおよびフェムトｅＮＢ（ビクティム（victim）ｅＮＢ）のＰＳＤよりも大きくなり、ピコｅＮＢおよびフェムトｅＮＢとの大量の干渉を生じ得る。ピコｅＮＢおよびフェムトｅＮＢとの干渉を低減するかまたは最小限に抑えるために、保護サブフレームが使用され得る。すなわち、アグレッサｅＮＢ上の禁止サブフレームに対応するように、ビクティムｅＮＢに対して保護サブフレームがスケジュールされ得る。
【００４５】
図３は、本開示の一態様による、異種ネットワークにおける時分割多重（ＴＤＭ）区分を示すブロック図である。ブロックの第１の行はフェムトｅＮＢのためのサブフレーム割当てを示し、ブロックの第２の行はマクロｅＮＢのためのサブフレーム割当てを示している。ｅＮＢの各々が静的保護サブフレームを有する間、他方のｅＮＢは静的禁止サブフレームを有する。たとえば、フェムトｅＮＢは、サブフレーム０中の禁止サブフレーム（Ｎサブフレーム）に対応して、サブフレーム０中の保護サブフレーム（Ｕサブフレーム）を有する。同様に、マクロｅＮＢは、サブフレーム７中の禁止サブフレーム（Ｎサブフレーム）に対応して、サブフレーム７中の保護サブフレーム（Ｕサブフレーム）を有する。サブフレーム１〜６は、保護サブフレーム（ＡＵ）、禁止サブフレーム（ＡＮ）、および共通サブフレーム（ＡＣ）のいずれかとして動的に割り当てられる。サブフレーム５および６中の動的に割り当てられた共通サブフレーム（ＡＣ）中に、フェムトｅＮＢとマクロｅＮＢの両方がデータを送信し得る。
【００４６】
保護サブフレーム（Ｕ／ＡＵサブフレームなど）では、アグレッサｅＮＢが送信を禁止されるので、干渉が低減され、チャネル品質が高い。禁止サブフレーム（Ｎ／ＡＮサブフレームなど）では、ビクティムｅＮＢが干渉レベルの低いデータを送信できるように、データが送信されない。共通サブフレーム（Ｃ／ＡＣサブフレームなど）では、チャネル品質は、データを送信するネイバーｅＮＢの数に依存する。たとえば、ネイバーｅＮＢが共通サブフレーム上でデータを送信する場合、共通サブフレームのチャネル品質は保護サブフレームよりも低くなり得る。共通サブフレーム上のチャネル品質はまた、アグレッサｅＮＢによって強く影響を及ぼされる拡張境界領域（ＥＢＡ：extended boundary area）ＵＥではより低くなり得る。ＥＢＡ  ＵＥは、第１のｅＮＢに属し得るが、第２のｅＮＢのカバレージエリア中にも位置し得る。たとえば、フェムトｅＮＢカバレージの範囲限界の近くにあるマクロｅＮＢと通信しているＵＥは、ＥＢＡ  ＵＥである。
【００４７】
ＬＴＥ／−Ａにおいて採用され得る別の例示的な干渉管理方式は、低速適応（slowly-adaptive）干渉管理である。この手法を干渉管理に使用すると、スケジューリング間隔よりもはるかにより大きい時間スケールにわたってリソースが処理され、割り振られる。本方式の目的は、ネットワークの総ユーティリティを最大にする、時間または周波数リソースのすべてにわたる、送信ｅＮＢおよびＵＥのすべてのための送信電力の組合せを発見することである。「ユーティリティ」は、ユーザデータレート、サービス品質（ＱｏＳ）フローの遅延、および公平性メトリックの関数として定義され得る。そのようなアルゴリズムは、最適化を解決するために使用される情報のすべてにアクセスでき、たとえばネットワークコントローラ１３０（図１）などの送信エンティティのすべてを制御する中央エンティティによって計算され得る。この中央エンティティは、常に実用的であるとは限らず、さらには望ましいとは限らないことがある。したがって、代替態様では、ノードのあるセットからのチャネル情報に基づいてリソース使用状況決定を行う分散アルゴリズムが使用され得る。したがって、低速適応干渉アルゴリズムは、中央エンティティを使用して、またはネットワーク中のノード／エンティティの様々なセットにわたってアルゴリズムを分散させることによって、展開され得る。
【００４８】
ワイヤレスネットワーク１００など、異種ネットワークの展開では、ＵＥは、ＵＥが１つまたは複数の干渉ｅＮＢからの高い干渉を観測し得る支配的干渉シナリオにおいて動作し得る。支配的干渉シナリオは、制限された関連付けにより発生し得る。たとえば、図１では、ＵＥ１２０ｙは、フェムトｅＮＢ１１０ｙに近接し得、ｅＮＢ１１０ｙについて高い受信電力を有し得る。しかしながら、ＵＥ１２０ｙは、制限された関連付けによりフェムトｅＮＢ１１０ｙにアクセスすることができないことがあり、次いで、（図１に示すように）よりマクロｅＮＢ１１０ｃまたはやはりより低い受信電力をもつフェムトｅＮＢ１１０ｚ（図１に図示せず）に接続し得る。その場合、ＵＥ１２０ｙは、ダウンリンク上でフェムトｅＮＢ１１０ｙからの高い干渉を観測し得、また、アップリンク上でｅＮＢ１１０ｙに高い干渉を引き起こし得る。協調干渉管理を使用すると、ｅＮＢ１１０ｃとフェムトｅＮＢ１１０ｙとは、リソースを処理するためにバックホール１３４を介して通信し得る。処理において、フェムトｅＮＢ１１０ｙは、それのチャネルリソースの１つの上での送信を中止することに同意し、それにより、ＵＥ１２０ｙがその同じチャネルを介してｅＮＢ１１０ｃと通信するときと同程度の、フェムトｅＮＢ１１０ｙからの干渉を、ＵＥ１２０ｙが受けないようにする。
【００４９】
そのような支配的干渉シナリオでは、ＵＥと複数のｅＮＢとの間の距離が異なるために、ＵＥにおいて観測される信号電力の相異に加えて、同期システム中でもＵＥによってまたダウンリンク信号のタイミング遅延が観測され得る。同期システム中のｅＮＢは、推論上、システムにわたって同期される。しかしながら、たとえば、マクロｅＮＢから５ｋｍの距離にあるＵＥについて考察すると、そのマクロｅＮＢから受信したダウンリンク信号の伝搬遅延は、約１６．６７μｓ（５ｋｍ÷３×１０8（すなわち、光速、「ｃ」））遅延されるであろう。マクロｅＮＢからのそのダウンリンク信号を、はるかに近いフェムトｅＮＢからのダウンリンク信号と比較すると、タイミング差は有効期間（ＴＴＬ：time-to-live）エラーのレベルに近づく可能性がある。
【００５０】
さらに、そのようなタイミング差は、ＵＥにおける干渉消去に影響を及ぼし得る。干渉消去は、同じ信号の複数のバージョンの組合せ間の相互相関特性をしばしば使用する。同じ信号の複数のコピーを組み合わせることによって、おそらく信号の各コピー上に干渉があることになるが、それがおそらく同じロケーションにはないことになるので、干渉はより容易に識別され得る。組み合わされた信号の相互相関を使用すると、実際の信号部分が判断され、干渉と区別され得、したがって干渉を消去することが可能になる。
【００５１】
図４に、図１の基地局／ｅＮＢのうちの１つであり得る基地局／ｅＮＢ１１０および図１のＵＥのうちの１つであり得るＵＥ１２０の設計のブロック図を示す。制限付き関連付けシナリオの場合、ｅＮＢ１１０は図１のマクロｅＮＢ１１０ｃであり得、ＵＥ１２０はＵＥ１２０ｙであり得る。ｅＮＢ１１０はまた、何らかの他のタイプの基地局であり得る。ｅＮＢ１１０はアンテナ４３４ａ〜４３４ｔを装備し得、ＵＥ１２０はアンテナ４５２ａ〜４５２ｒを装備し得る。
【００５２】
ｅＮＢ１１０において、送信プロセッサ４２０は、データソース４１２からデータを受信し、コントローラ／プロセッサ４４０から制御情報を受信し得る。制御情報は、ＰＢＣＨ、ＰＣＦＩＣＨ、ＰＨＩＣＨ、ＰＤＣＣＨなどのためのものであり得る。データは、ＰＤＳＣＨなどのためのものであり得る。送信プロセッサ４２０は、データと制御情報とを処理（たとえば、符号化およびシンボルマッピング）して、それぞれデータシンボルと制御シンボルとを取得し得る。送信プロセッサ４２０はまた、たとえば、ＰＳＳ、ＳＳＳ、およびセル固有基準信号のための基準シンボルを生成し得る。送信（ＴＸ）多入力多出力（ＭＩＭＯ）プロセッサ４３０は、適用可能な場合、データシンボル、制御シンボル、および／または基準シンボルに対して空間処理（たとえば、プリコーディング）を実行し得、出力シンボルストリームを変調器（ＭＯＤ）４３２ａ〜４３２ｔに与え得る。各変調器４３２は、（たとえば、ＯＦＤＭなどのために）それぞれの出力シンボルストリームを処理して、出力サンプルストリームを取得し得る。各変調器４３２はさらに、出力サンプルストリームを処理（たとえば、アナログへの変換、増幅、フィルタ処理、およびアップコンバート）して、ダウンリンク信号を取得し得る。変調器４３２ａ〜４３２ｔからのダウンリンク信号は、それぞれアンテナ４３４ａ〜４３４ｔを介して送信され得る。
【００５３】
ＵＥ１２０において、アンテナ４５２ａ〜４５２ｒは、ｅＮＢ１１０からダウンリンク信号を受信し得、受信信号をそれぞれ復調器（ＤＥＭＯＤ）４５４ａ〜４５４ｒに与え得る。各復調器４５４は、それぞれの受信信号を調整（たとえば、フィルタ処理、増幅、ダウンコンバート、およびデジタル化）して、入力サンプルを取得し得る。各復調器４５４はさらに、（たとえば、ＯＦＤＭなどのために）入力サンプルを処理して、受信シンボルを取得し得る。ＭＩＭＯ検出器４５６は、すべての復調器４５４ａ〜４５４ｒから受信シンボルを取得し、適用可能な場合は受信シンボルに対してＭＩＭＯ検出を実行し、検出シンボルを与え得る。受信プロセッサ４５８は、検出シンボルを処理（たとえば、復調、デインターリーブ、および復号）し、ＵＥ１２０の復号されたデータをデータシンク４６０に与え、復号された制御情報をコントローラ／プロセッサ４８０に与え得る。
【００５４】
アップリンク上では、ＵＥ１２０において、送信プロセッサ４６４は、データソース４６２から（たとえば、ＰＵＳＣＨのための）データを受信し、処理し得、コントローラ／プロセッサ４８０から（たとえば、ＰＵＣＣＨのための）制御情報を受信し、処理し得る。送信プロセッサ４６４はまた、基準信号のための基準シンボルを生成し得る。送信プロセッサ４６４からのシンボルは、適用可能な場合はＴＸ  ＭＩＭＯプロセッサ４６６によってプリコードされ、さらに（たとえば、ＳＣ−ＦＤＭなどのために）変調器４５４ａ〜４５４ｒによって処理され、ｅＮＢ１１０に送信され得る。ｅＮＢ１１０において、ＵＥ１２０からのアップリンク信号は、アンテナ４３４によって受信され、復調器４３２によって処理され、適用可能な場合はＭＩＭＯ検出器４３６によって検出され、さらに受信プロセッサ４３８によって処理されて、ＵＥ１２０によって送られた復号されたデータおよび制御情報が取得され得る。プロセッサ４３８は、復号されたデータをデータシンク４３９に与え、復号された制御情報をコントローラ／プロセッサ４４０に与え得る。
【００５５】
コントローラ／プロセッサ４４０および４８０は、それぞれｅＮＢ１１０における動作およびＵＥ１２０における動作を指示し得る。ｅＮＢ１１０におけるコントローラ／プロセッサ４４０および／または他のプロセッサおよびモジュールは、本明細書で説明する技法のための様々なプロセスを実行するか、またはその実行を指示し得る。ＵＥ１２０におけるコントローラ／プロセッサ４８０および／または他のプロセッサおよびモジュールはまた、図７〜図８に示す機能ブロック、および／または本明細書で説明する技法のための他のプロセスを実行するか、またはその実行を指示し得る。メモリ４４２および４８２は、それぞれｅＮＢ１１０およびＵＥ１２０のためのデータおよびプログラムコードを記憶し得る。スケジューラ４４４は、ダウンリンク上および／またはアップリンク上でのデータ送信のためにＵＥをスケジュールし得る。
【００５６】
前記のように、ＵＥは、通常の動作において多種多様な干渉消去（ＩＣ）を実行し得る。ＵＥは、ＰＳＳおよびＳＳＳなどの同期信号、ＰＢＣＨからのブロードキャストチャネル干渉、共通基準信号（ＣＲＳ）などの共通信号、ＰＣＦＩＣＨ、ＰＨＩＣＨ、ＰＤＣＣＨからなどの制御チャネル干渉、ＰＤＳＣＨなどからのデータチャネル干渉などを消去し得る。ＰＤＳＣＨからのデータ干渉消去など、ある高帯域幅干渉の干渉消去では、ＵＥは帯域幅依存ＩＣ機能を有し得る。たとえば、ＰＤＳＣＨ干渉のＩＣでは、ＵＥは、信号のより大きい帯域幅にわたるＩＣの複雑さ制約のために、一定数のリソースブロック（ＲＢ）上のＩＣに制限され得る。
【００５７】
ＵＥは、これらのタイプのＩＣ処理の大部分を行うための機能を維持し得ると同時に、ＵＥは、無線状態または利用可能な電力に基づいてこのＩＣ機能のいくつかを無効化し得る。その上、サービングｅＮＢがＵＥのＩＣ機能に気づいている場合、サービングｅＮＢは、この情報を使用して、ＵＥが電力消費量を管理するのを支援するか、あるいはダウンリンクまたはアップリンク送信スケジュールをより良くスケジュールするためにＵＥのＩＣ機能をなくすおよび／または管理し得る。
【００５８】
本開示の一態様では、ＵＥは、ＵＥが経験している動作状態に基づいて様々なＩＣ機能を非アクティブにし得る。動作状態は、ＵＥから見た無線状態、ＵＥのバッテリー電力レベル、電力消費レートなどの状態であり得る。たとえば、バッテリー電力が極めて低い場合、ＵＥは、数個を除くすべてのＩＣ機能を非アクティブにすることを判断するか、または単にＵＥのＩＣ機能のすべてを非アクティブにしさえし得る。別の例では、無線状態があまり干渉がなく極めて良好である場合、ＵＥは、データＩＣ、制御チャネルＩＣを非アクティブにすることを判断するが、同期信号ＩＣおよびＣＲＳ  ＩＣを維持し得る。
【００５９】
代替的に、ＵＥは、検出された動作状態に基づいてＵＥのＩＣ機能のうちのどれを維持および／または非アクティブにすべきかを選択し得、ＵＥは、ＵＥの現在選択されているＩＣ機能をＵＥがどのように基地局に報告するかを調整し得る。
【００６０】
ＵＥのＩＣ機能をさらに管理するために、ＵＥはそれのＩＣ機能を様々なグループに分割し得る。これらのグループは、単純なまたはランダムなグループであるか、または論理グループでもあり得る。たとえば、第１の機能グループは、ＰＳＳ、ＳＳＳ、ＰＢＣＨ、ＣＲＳなどのＩＣなど、共通チャネルＩＣを含み得る（グループ１）。第２の機能グループは、ＰＣＦＩＣＨ、ＰＨＩＣＨ、およびＰＤＣＣＨなどのＩＣなど、制御チャネルＩＣを含み得る（グループ２）。第３の機能グループは、ＰＤＳＣＨ干渉のＩＣなど、データチャネルＩＣを含み得る（グループ３）。ＵＥのＩＣ機能が定義グループに分割された場合、ＵＥは、所与のＵＥが、機能グループ１、２、および３、または機能グループ１、２、および３の何らかの組合せを使用することをｅＮＢにシグナリングし得るように、ＵＥの定義グループに基づいてＵＥのＩＣ機能をｅＮＢにシグナリングし得る。代替的に、ＵＥは、ＩＣクラスに基づいてＵＥの機能を定義し得、それにより、クラス１は、グループ１に関連する機能を含み、クラス２は、グループ１およびグループ２に関連する機能を含み、以下同様である。機能のグループおよびクラスならびにそれらのそれぞれのグラニュラリティ（granularity）の数はまた、実装形態に基づいて変化し得る。
【００６１】
図５は、本開示の一態様に従って構成されたワイヤレスネットワーク中のセル５００を示すブロック図である。セル５００は、マクロｅＮＢ５０１によってサービスされ、ピコサービスエリア５０３をもつピコｅＮＢ５０２のピコセル展開を含む。図示した時間期間では、２つのＵＥが、セル５００、ＵＥ５０４、５０５、および５０６内でサービスされる。ＵＥ５０４は、ピコサービスエリア境界５０３とセル範囲境界５０７との間のセル範囲拡張（ＣＲＥ：cell range expansion）エリア内でピコｅＮＢ５０２によってサービスされている。ＵＥ５０５は、ピコｅＮＢ５０２から十分遠くに離れているので、ピコセル展開から干渉を受けない。１つの例示的な態様では、ＵＥ５０４は、それのバッテリーレベルが低く、それの機能のすべてがアクティブであり、電力消費レートが高いと判断する。また、ＵＥ５０４は、それが共有サブフレーム上でピコｅＮＢ５０２によってサービスされており、マクロｅＮＢ５０１から強い干渉ＣＲＳがあることを認識する。これらの判断された動作状態に基づいて、ＵＥ５０４は、共通チャネルＩＣとデータチャネルＩＣとを維持するが、ＵＥ５０４の残りのＩＣ機能を非アクティブにする（たとえば、制御チャネルＩＣなどを非アクティブにする）ことを判断する。ＵＥ５０４は、ＵＥ５０４の現在のＩＣ機能がグループ１および３を含むことを示す報告メッセージをマクロｅＮＢ５０１に送信する。
【００６２】
同様に、ＵＥ５０５は、それの無線状態があまり干渉がなく良好であり、ＵＥ５０５が十分なバッテリー充電と低い電力消費レートとを有すると判断する。ＵＥ５０５は、ＵＥ５０５の現在のＩＣ機能がグループ１、２、および３を含むことを示すＵＥ５０５の現在の機能報告をマクロｅＮＢ５０１に送信する。
【００６３】
ｅＮＢは、ＵＥとの通信を管理するために現在の機能情報を使用し得る。たとえば、ｅＮＢは、ＵＥのＩＣ機能のいくつかをオンまたはオフにする信号をＵＥに送信し得る。ｅＮＢは、ＵＥから報告されたＩＣ機能を受信し、知られている機能を使用して、ＵＥとの現在の通信状態を検出し、ＵＥのＩＣ機能のいくつかをオフにすることが有益であり得るかどうかを判断するであろう。図５に示す例に関して、マクロｅＮＢ５０１がＵＥ５０５から現在のＩＣ機能報告を受信したとき、マクロｅＮＢ５０１は、ＵＥ５０５が位置する場所に干渉がほとんどないことを検出し、この通信状態に基づいて、ＵＥ５０５がそれのＩＣ機能のすべてをオフにすることによって電力を節約し得ると判断する。したがって、マクロｅＮＢ５０１は、グループ１、２、および３についてＵＥ５０５のＩＣ機能のすべてを非アクティブにするようにＵＥ５０５に指示する信号をＵＥ５０５に送信することによって通信状態を変更する。
【００６４】
別の態様では、ｅＮＢは、ＩＣ機能をもつＵＥのためのスケジューリングアルゴリズムを判断するために、ＵＥの報告された現在のＩＣ機能を使用し得る。たとえば、特定のＵＥが、制限されたデータＩＣ機能を有するかまたはそれをまったく有しない場合、ｅＮＢは、保護サブフレーム中にそのＵＥへのダウンリンク送信をスケジュールし得る。したがって、ＵＥは、別のデータ送信が共有サブフレーム中で行われている間にダウンリンクデータが共有サブフレーム中で送信されるかのように、データＩＣを実行することを要求されないであろう。同様に、特定のＵＥが強いデータＩＣ機能を有する場合、ＵＥは干渉データ送信の存在下で通信することがいっそう可能であり得るので、ｅＮＢは、共有サブフレーム中でそのＵＥへのダウンリンク送信をスケジュールすることを判断し得る。
【００６５】
再び図５を参照すると、マクロｅＮＢ５０１がＵＥ５０４から現在のＩＣ機能報告を受信したとき、マクロｅＮＢ５０１は、ＵＥ５０４が、現在のＩＣ機能が制限されており、ピコｅＮＢ５０２によってサービスされるピコセル中で動作していると判断する。これらの通信状態に基づいて、マクロｅＮＢ５０１は、マクロｅＮＢ５０１が保護サブフレーム中でのみＵＥ５０４との通信をスケジュールすべきであると判断する。マクロｅＮＢ５０１は、保護サブフレーム上のみでＵＥ５０４通信をスケジュールすることによって、現在のＩＣ機能に基づいて通信状態を変更する。マクロｅＮＢ５０１は、次いで、電力を節約するために、ＵＥ５０４のグループ３のＩＣ機能を非アクティブにするためにＵＥ５０４にシグナリングする。ＵＥ５０４の通信は今や保護サブフレームのためにスケジュールされているので、ＵＥ５０４がグループ３のデータチャネルＩＣ機能を使用する必要はそれほどない。
【００６６】
ｅＮＢがどのようにＵＥのＩＣ機能の知識を利用し得るかという別の例では、ｅＮＢは、より大きい範囲のＣＱＩ制御ループを使用し得る。ＵＥが特定のロバストなＩＣ機能を報告した場合、バックオフループは、必ずしも強いＩＣ機能を有するＵＥとのより小さい調整を必要とするとは限らないので、ｅＮＢはより大きい範囲のＣＱＩ制御ループを使用し得る。同様に、ＵＥが、制限されたＩＣ機能を報告した場合、ｅＮＢは、そのＵＥのＣＱＩ制御ループのためにより小さいバックオフループを使用し得る。この場合も、ＵＥのＩＣ機能の知識を使用することによって、ｅＮＢは、利用可能なリソースをより効率的に利用するための行為を取るかまたはそのようにするため通信をスケジュールし得る。
【００６７】
再び図５を参照すると、ＵＥ５０６は、グループ１、２、および３がすべてアクティブであることを示すＵＥ５０６の現在のＩＣ機能報告をマクロｅＮＢ５０１に送信する。マクロｅＮＢ５０１はＵＥ５０６に関する現在の通信状態を判断する。ＵＥ５０６はある程度の周囲干渉を受けるが、ＵＥ５０６のＩＣ機能グループのすべてがアクティブであり、マクロｅＮＢ５０１は、ＵＥ５０６がそれの現在のＩＣ機能を維持すべきであると判断する。その上、すべてのＩＣグループがアクティブであり、ＵＥ５０６は、どんな干渉信号タイプにも良好なＩＣ機能を有する。ＵＥ５０６のそれらの現在の機能に基づいて、マクロｅＮＢ５０１は、マクロｅＮＢ５０１がＵＥ５０６のためのＣＱＩ制御に関してバックオフループを増加させ得ると判断する。したがって、ＵＥ５０６がより強い干渉またはより弱いチャネル品質を処理することがより可能になるにつれて、ＣＱＩ制御ループのステップサイズはより大きくなる。
【００６８】
いくつかの通信状態下で、サービングｅＮＢは、単に被サービスＵＥのすべてのＩＣ機能を非アクティブにすることを判断し得る。図６は、本開示の一態様に従って構成されたワイヤレスネットワーク中のセル６０１を示すブロック図である。ＵＥ６０２は、それの現在のＩＣ機能報告をｅＮＢ６００に送る。ｅＮＢ６００は、現在の通信状態を好ましいものとして判断する。セル６０１内にピコセル展開がないので、ｅＮＢ６００は、ＵＥ６０２がそれの現在のＩＣ機能のすべてを非アクティブにし得ると判断し、そのような行為を指示する信号をＵＥ６０２に送信する。
【００６９】
図７は、本開示の一態様を実装するために実行される例示的なブロックを示す機能ブロック図である。ブロック７００において、モバイルデバイスはそれの現在の動作状態を判断する。モバイルデバイスの動作状態は、無線状態、干渉レベル、信号対雑音比、バッテリー電力レベル、電力消費レートなどの状態を含み得る。ＩＣ管理プロセスを開始する際に、モバイルデバイスはこれらの動作状態を判断し、評価する。図９に示すＵＥ１２０などのモバイルデバイスは、一般に、様々な動作状態を取得するために実行される動作状態モニタ９００などの内部診断アプリケーションを有することになる。
【００７０】
ブロック７０１において、モバイルデバイスは、それの様々な干渉消去機能を異なるグループにグループ化する。グループは、消去されている干渉の特定の機能性または影響によって編成され得る。たとえば、干渉消去機能は、共通チャネル干渉と、制御チャネル干渉と、データチャネル干渉とに関与する機能としてグループ化され得る。そのような態様では、ＵＥ１２０などのモバイルデバイスは、特定の機能を識別するかまたは異なるグループに関連付けるために、ＩＣ機能マネージャ９０１などの干渉消去機能管理アプリケーションを動作させる。
【００７１】
ブロック７０２において、モバイルデバイスは、干渉機能のグループのうちの１つまたは複数を非アクティブにすることを選択する。ＩＣ機能マネージャ９０１を動作させているかまたは実行しているＵＥ１２０などのモバイルデバイスは、それの現在の動作状態を検査し、グループのいくつかが非アクティブにされるべきであるかどうかを判断する。この動作状態分析に基づいて、モバイルデバイスは、グループのどれを非アクティブにすべきかを選択する。
【００７２】
ブロック７０３において、モバイルデバイスは、それの現在の干渉消去機能を基地局に報告する。動作状態に基づいて干渉消去機能のどのグループを非アクティブにすべきかを判断した後に、モバイルデバイスは、アクティブ干渉消去機能グループのモバイルデバイスの現在のセットを基地局に通知するための報告メッセージを基地局に送る。ＵＥ１２０などのモバイルデバイスは、干渉消去機能の特定のグループが非アクティブにされると、ＩＣ機能マネージャ９０１の動作を通して、送信機９０２を使用してモバイルデバイスのサービング基地局に報告を送信することになる。モバイルデバイスは、そのような態様では、どのグループがアクティブなままであるかに基づいて報告メッセージを送信することになる。
【００７３】
図８は、本開示の一態様を実装するために実行される例示的なブロックを示す機能ブロック図である。ブロック８００において、基地局は、それのサービスされるモバイルデバイスのうちの１つから現在のＩＣ機能報告メッセージを受信する。この現在のＩＣ機能報告は、モバイルデバイスについて現在アクティブである個々のＩＣ機能のリストを含むか、またはＩＣ機能のアクティブグループのリストを含み得る。たとえば、図１０に示すｅＮＢ１１０などの基地局は、ＩＣ機能報告メッセージを含み得る、移動局を含むネットワークエンティティからの入来信号を受信する受信機１００２を含む。ｅＮＢ１１０などの基地局は、通信状態モニタ１０００など、サービスされる移動局の状態を監視するためのアプリケーションを含み得る。
【００７４】
ブロック８０１において、基地局は、基地局に対するモバイルデバイスの現在の通信状態を判断する。通信状態は、モバイルデバイスのための現在の通信スケジューリング、既存の干渉、基地局カバレージエリア内にピコセル展開があるかどうか、同じエリア中でサービスされている複数のモバイルデバイスがあるかどうかなどを含み得る。ｅＮＢ１１０などの基地局は、通信状態マネージャ１００１など、実行中の分析アプリケーションにおける実行中の通信状態モニタ１０００によって検出された状態情報を使用して、それらの状態に対する何らかの変更がＵＥにとって有益であり得るかどうかを判断する。
【００７５】
ブロック８０２において、基地局は、現在のＩＣ機能報告に少なくとも部分的に基づいて通信状態を変更する。ｅＮＢ１１０などの基地局が、通信状態モニタ１０００によって監視されたモバイルデバイスの現在のＩＣ機能を知ると、基地局は、たとえば、追加のＩＣ機能を非アクティブにするためにモバイルデバイスにシグナリングすること、モバイルデバイスの通信スケジューリングを変えること、モバイルデバイスに関連するＣＱＩプロセスのための制御ループを変更することなどによって、通信状態を変更することが有益であり得るかどうかを、通信状態マネージャ１００１の実行を通して判断し得る。したがって、モバイルデバイスの現在のＩＣ機能と、モバイルデバイスに対する現在の通信状態とを使用することによって、基地局は、モバイルデバイスの通信または性能を改善するための行為を取り得る。ｅＮＢ１１０などの基地局は、送信機１００３を使用して特定の移動局にそのような変更を送信し得る。
【００７６】
図９は、本開示の一態様に従って構成されたＵＥ１２０を示すブロック図である。ＵＥ１２０はコントローラ／プロセッサ４８０を含む。コントローラ／プロセッサ４８０は、ソフトウェアまたはファームウェアのいずれかとしてＵＥ１２０におけるメモリ４８２に記憶されたプログラムコードを実行し、概してＵＥ１２０の動作および機能性を制御する。ＵＥ１２０はまた、コントローラ／プロセッサ４８０によって実行されたとき、無線状態、バッテリーレベル、電力消費量、通信スケジューリングなど、現在の動作状態を監視し、検出する、メモリ４８２に記憶された動作状態モニタ９００を含む。コントローラ／プロセッサ４８０と動作状態モニタ９００とは組み合わせられて、モバイルデバイスの動作状態を判断するための手段を提供する。
【００７７】
ＵＥ１２０はまた、メモリ４８２に記憶されたＩＣ機能マネージャ９０１を含む。コントローラ／プロセッサ４８０によって実行されたとき、ＩＣ機能マネージャ９０１は、ＵＥ１２０の干渉消去機能のうちの１つまたは複数を様々なグループにグループ化する。コントローラ／プロセッサ４８０とメモリ４８２と実行中のＩＣ機能マネージャ９０１との組合せは組み合わせられて、モバイルデバイスの１つまたは複数のＩＣ機能を複数のグループにグループ化するための手段を提供する。
【００７８】
実行中のＩＣ機能マネージャ９０１は、コントローラ／プロセッサ４８０の制御下で、検出された動作状態を使用して、そのような状態を改善するためにＩＣ機能のＵＥ１２０のグループのうちのどれが非アクティブにされ得るかを選択する。コントローラ／プロセッサ４８０とＩＣ機能マネージャ９０１とは組み合わせられて、ＵＥ１２０にとって利用可能なＩＣ機能のグループのすべてからのＩＣ機能の選択されたグループを非アクティブにするための手段を提供する。
【００７９】
ＵＥ１２０は送信機９０２をも含む。送信機９０２は、コントローラ／プロセッサ４８０の制御下で、ＩＣ機能のＵＥ１２０の現在アクティブなグループの報告を基地局に送信する。送信機９０２は、送信プロセッサ４６４、ＴＸ  ＭＩＭＯプロセッサ４６６、変調器４５４ａ〜ｒ、およびアンテナ４５２ａ〜ｒなど、様々なハードウェアおよび構成要素を用いて実装され得る。コントローラ／プロセッサ４８０と送信機９０２とは組み合わせられて、現在のＩＣ機能を基地局に報告するための手段を提供し、現在のＩＣ機能は、ＵＥ１２０においてアクティブなままである個々のＩＣ機能を含む。
【００８０】
図１０は、本開示の一態様に従って構成されたｅＮＢ１１０を示すブロック図である。ｅＮＢ１１０はコントローラ／プロセッサ４４０を含む。コントローラ／プロセッサ４４０は、ソフトウェアまたはファームウェアのいずれかとしてｅＮＢ１１０において記憶されたプログラムコードを実行し、概してｅＮＢ１１０の動作および機能性を制御する。ｅＮＢ１１０は受信機１００２を含む。受信機１００２は、コントローラ／プロセッサ４４０の制御下で、ｅＮＢ１１０によってサービスされるモバイルデバイスから現在のＩＣ機能報告を受信するように動作する。受信機１００２は、受信プロセッサ４３８、ＭＩＭＯ検出器４３６、復調器４３２ａ〜ｔ、およびアンテナ４３４ａ〜ｔなど、様々なハードウェアおよび構成要素を用いて実装され得る。コントローラ／プロセッサ４４０と受信機１００２とは組み合わされて、ｅＮＢ１１０によってサービスされるモバイルデバイスから現在のＩＣ機能報告を受信するための手段を提供する。
【００８１】
ｅＮＢ１１０は通信状態モニタ１０００をも含む。コントローラ／プロセッサ４４０によって実行されたとき、通信状態モニタ１０００は、モバイルデバイスに対する現在の通信状態を監視し、検出するように動作する。通信状態モニタ１０００は、モバイルデバイスのための現在の通信スケジューリング、既存の干渉、基地局カバレージエリア内にピコセル展開があるかどうか、同じエリア中でサービスされている複数のモバイルデバイスがあるかどうかなどの状態を監視し、検出する。
【００８２】
ｅＮＢ１１０は通信状態マネージャ１００１も含む。コントローラ／プロセッサ４４０によって実行されたとき、通信状態マネージャ１０００は、現在のＩＣ機能報告とともに検出された通信状態を使用して、ｅＮＢ１１０が、報告しているモバイルデバイスに対する通信状態のいずれかをいつ変更すべきかを判断する。たとえば、動作中の通信状態マネージャ１０００は、追加のＩＣ機能を非アクティブにするためにモバイルデバイスにシグナリングすること、モバイルデバイスの通信スケジューリングを変えること、モバイルデバイスに関連するＣＱＩプロセスのための制御ループを変更することなどによって、通信状態に変化を引き起こし得る。そのような変更のいくつかは、コントローラ／プロセッサ４４０の制御下で、送信機１００３を介して特定のモバイルデバイスにも通信され得る。コントローラ／プロセッサ４４０と通信状態マネージャ１００１とは組み合わされて、現在のＩＣ機能報告に少なくとも部分的に基づいて通信状態を変更するための手段を提供する。
【００８３】
情報および信号は多種多様な技術および技法のいずれかを使用して表され得ることを、当業者は理解されよう。たとえば、上記の説明全体にわたって言及され得るデータ、命令、コマンド、情報、信号、ビット、シンボル、およびチップは、電圧、電流、電磁波、磁界または磁性粒子、光場または光学粒子、あるいはそれらの任意の組合せによって表され得る。
【００８４】
図７および図８の機能ブロックおよびモジュールは、プロセッサ、電子デバイス、ハードウェアデバイス、電子構成要素、論理回路、メモリ、ソフトウェアコード、ファームウェアコードなど、またはそれらの任意の組合せを備え得る。
【００８５】
さらに、本明細書の開示に関連して説明した様々な例示的な論理ブロック、モジュール、回路、およびアルゴリズムステップは、電子ハードウェア、コンピュータソフトウェア、または両方の組合せとして実装され得ることを、当業者は諒解されよう。ハードウェアとソフトウェアのこの互換性を明確に示すために、様々な例示的な構成要素、ブロック、モジュール、回路、およびステップについて、上記では概してそれらの機能に関して説明した。そのような機能をハードウェアとして実装するか、ソフトウェアとして実装するかは、特定の適用例および全体的なシステムに課される設計制約に依存する。当業者は、説明した機能を特定の適用例ごとに様々な方法で実装し得るが、そのような実装の決定は、本開示の範囲からの逸脱を生じるものと解釈すべきではない。
【００８６】
本明細書の開示に関して説明した様々な例示的な論理ブロック、モジュール、および回路は、汎用プロセッサ、デジタル信号プロセッサ（ＤＳＰ）、特定用途向け集積回路（ＡＳＩＣ）、フィールドプログラマブルゲートアレイ（ＦＰＧＡ）または他のプログラマブル論理デバイス、個別ゲートまたはトランジスタ論理、個別ハードウェア構成要素、あるいは本明細書で説明した機能を実行するように設計されたそれらの任意の組合せを用いて実装または実行され得る。汎用プロセッサはマイクロプロセッサであり得るが、代替として、プロセッサは、任意の従来のプロセッサ、コントローラ、マイクロコントローラ、または状態機械であり得る。プロセッサはまた、コンピューティングデバイスの組合せ、たとえば、ＤＳＰとマイクロプロセッサとの組合せ、複数のマイクロプロセッサ、ＤＳＰコアと連携する１つまたは複数のマイクロプロセッサ、あるいは任意の他のそのような構成として実装され得る。
【００８７】
本明細書の開示に関して説明した方法またはアルゴリズムのステップは、直接ハードウェアで実施されるか、プロセッサによって実行されるソフトウェアモジュールで実施されるか、またはその２つの組合せで実施され得る。ソフトウェアモジュールは、ＲＡＭメモリ、フラッシュメモリ、ＲＯＭメモリ、ＥＰＲＯＭメモリ、ＥＥＰＲＯＭ（登録商標）メモリ、レジスタ、ハードディスク、リムーバブルディスク、ＣＤ−ＲＯＭ、または当技術分野で知られている任意の他の形態の記憶媒体中に常駐し得る。例示的な記憶媒体は、プロセッサが記憶媒体から情報を読み取り、記憶媒体に情報を書き込むことができるように、プロセッサに結合される。代替として、記憶媒体はプロセッサに一体化され得る。プロセッサおよび記憶媒体はＡＳＩＣ中に常駐し得る。ＡＳＩＣはユーザ端末中に常駐し得る。代替として、プロセッサおよび記憶媒体は、ユーザ端末中に個別構成要素として常駐し得る。
【００８８】
１つまたは複数の例示的な設計では、説明した機能は、ハードウェア、ソフトウェア、ファームウェア、またはそれらの任意の組合せで実装され得る。ソフトウェアで実装される場合、機能は、１つまたは複数の命令またはコードとしてコンピュータ可読媒体上に記憶されるか、あるいはコンピュータ可読媒体を介して送信され得る。コンピュータ可読媒体は、ある場所から別の場所へのコンピュータプログラムの転送を可能にする任意の媒体を含む、非一時的コンピュータ記憶媒体と通信媒体の両方を含む。記憶媒体は、汎用または専用コンピュータによってアクセスされ得る任意の利用可能な媒体であり得る。限定ではなく例として、そのような非一時的コンピュータ可読媒体は、ＲＡＭ、ＲＯＭ、ＥＥＰＲＯＭ、ＣＤ−ＲＯＭまたは他の光ディスクストレージ、磁気ディスクストレージまたは他の磁気ストレージデバイス、あるいは命令またはデータ構造の形態の所望のプログラムコード手段を記憶するために使用され得、汎用もしくは専用コンピュータ、または汎用もしくは専用プロセッサによってアクセスされ得る、任意の他の媒体を備えることができる。また、いかなる接続もコンピュータ可読媒体と適切に呼ばれる。たとえば、ソフトウェアが、同軸ケーブル、光ファイバーケーブル、ツイストペア、デジタル加入者回線（ＤＳＬ）、または赤外線、無線、およびマイクロ波などのワイヤレス技術を使用して、ウェブサイト、サーバ、または他のリモートソースから送信される場合、同軸ケーブル、光ファイバーケーブル、ツイストペア、ＤＳＬ、または赤外線、無線、およびマイクロ波などのワイヤレス技術は、媒体の定義に含まれる。本明細書で使用するディスク（disk）およびディスク（disc）は、コンパクトディスク（disc）（ＣＤ）、レーザーディスク（登録商標）（disc）、光ディスク（disc）、デジタル多用途ディスク（disc）（ＤＶＤ）、フロッピー（登録商標）ディスク（disk）およびブルーレイ（登録商標）ディスク（disc）を含み、ディスク（disk）は、通常、データを磁気的に再生し、ディスク（disc）は、データをレーザで光学的に再生する。上記の組合せもコンピュータ可読媒体の範囲内に含めるべきである。
【００８９】
本開示についての以上の説明は、いかなる当業者も本開示を作成または使用することができるように与えたものである。本開示への様々な修正は当業者には容易に明らかとなり、本明細書で定義した一般原理は、本開示の趣旨または範囲から逸脱することなく他の変形形態に適用され得る。したがって、本開示は、本明細書で説明した例および設計に限定されるものではなく、本明細書で開示した原理および新規の特徴に合致する最も広い範囲を与えられるべきである。
以下に、出願当初の特許請求の範囲に記載された発明を付記する。
［Ｃ１］
モバイルデバイスの動作状態を判断することと、
前記モバイルデバイスの複数の干渉消去機能のうちの１つまたは複数を干渉消去機能の複数のグループにグループ化することと、
干渉消去機能の前記複数のグループからの１つまたは複数のグループを非アクティブにすることと、
基地局に現在の干渉消去機能を報告すること、ここにおいて、前記現在の干渉消去機能が、前記非アクティブすることの後にアクティブなままである干渉消去機能の前記複数のグループからの０個以上のアクティブグループを備える、とを備える、ワイヤレス通信の方法。
［Ｃ２］
前記動作状態が、
前記モバイルデバイスの周囲の無線状態と、
前記モバイルデバイスのバッテリー電力レベルと、前記モバイルデバイスの電力消費レートとのうちの１つまたは複数を備える、Ｃ１に記載の方法。
［Ｃ３］
前記基地局から信号を受信することをさらに備え、
前記非アクティブにすることが、前記信号に応答して、干渉消去機能の前記複数のグループからの前記１つまたは複数のグループを非アクティブにすることを含む、Ｃ１に記載の方法。
［Ｃ４］
前記複数のグループが、
共通チャネル干渉消去機能グループと、
制御チャネル干渉消去機能グループと、
データチャネル干渉消去機能グループとのうちの２つ以上を備える、Ｃ１に記載の方法。
［Ｃ５］
前記共通チャネル干渉消去機能グループが、１次同期信号（ＰＳＳ）と、２次同期信号（ＳＳＳ）と、物理ブロードキャストチャネル（ＰＢＣＨ）と、共通基準信号（ＣＲＳ）とのうちの１つまたは複数のための干渉消去に関係する干渉消去機能を含み、
前記制御チャネル干渉消去機能グループが、物理制御フォーマットインジケータチャネル（ＰＣＦＩＣＨ）と、物理ハイブリッド自動再送要求（ＨＡＲＱ）インジケータチャネル（ＰＨＩＣＨ）と、物理ダウンリンク制御チャネル（ＰＤＣＣＨ）と、拡張ＰＤＣＣＨ（ｅＰＤＣＣＨ）とのうちの１つまたは複数のための干渉消去に関係する干渉消去機能を含み、
前記データチャネル干渉消去機能グループが、物理ダウンリンク共有チャネル（ＰＤＳＣＨ）のための干渉消去に関係する干渉消去機能を含む、Ｃ４に記載の方法。
［Ｃ６］
基地局によってサービスされるモバイルデバイスからの現在の干渉消去機能報告を前記基地局において受信することと、
前記基地局に対する前記モバイルデバイスの通信状態を判断することと、
前記現在の干渉消去機能報告に少なくとも部分的に基づいて前記通信状態を変更することとを備える、ワイヤレス通信の方法。
［Ｃ７］
前記現在の干渉消去機能報告が、前記モバイルデバイスの複数の干渉消去機能のうちの１つまたは複数から前記モバイルデバイスによってグループ化された干渉消去機能の複数のグループのうちの干渉消去機能の０個以上のアクティブグループを含む、Ｃ６に記載の方法。
［Ｃ８］
前記通信状態を変更することは、
干渉消去機能の前記０個以上のアクティブグループのうちの１つまたは複数を非アクティブにするために前記モバイルデバイスにシグナリングすること、ここにおいて、非アクティブ化のためにシグナリングされる干渉消去機能の前記０個以上のアクティブグループのうちの前記１つまたは複数が、前記現在の干渉消去機能報告に少なくとも部分的に基づいて判断される、を備える、Ｃ７に記載の方法。
［Ｃ９］
前記通信状態を変更することが、
前記現在の干渉消去機能報告に少なくとも部分的に基づいて判断された１つまたは複数のサブフレーム中の送信のために前記モバイルデバイスをスケジュールすることを備える、Ｃ７に記載の方法。
［Ｃ１０］
前記通信状態を変更することは、
前記モバイルデバイスに関連するチャネル品質インジケータ（ＣＱＩ）プロセスのバックオフループを調整することであって、前記調整することが、前記現在の干渉消去機能報告に少なくとも部分的に基づく、調整することを備える、Ｃ７に記載の方法。
［Ｃ１１］
モバイルデバイスの動作状態を判断するための手段と、
前記モバイルデバイスの複数の干渉消去機能のうちの１つまたは複数を干渉消去機能の複数のグループにグループ化するための手段と、
干渉消去機能の前記複数のグループからの１つまたは複数のグループを非アクティブにするための手段と、
基地局に現在の干渉消去機能を報告するための手段、ここにおいて、前記現在の干渉消去機能が、非アクティブにするための前記手段の実行後にアクティブなままである干渉消去機能の前記複数のグループからの０個以上のアクティブグループを備える、とを備える、ワイヤレス通信のために構成された装置。
［Ｃ１２］
前記動作状態が、
前記モバイルデバイスの周囲の無線状態と、
前記モバイルデバイスのバッテリー電力レベルと、
前記モバイルデバイスの電力消費レートとのうちの１つまたは複数を備える、Ｃ１１に記載の装置。
［Ｃ１３］
前記基地局から信号を受信するための手段をさらに備え、
非アクティブにするための前記手段が、前記信号に応答して、干渉消去機能の前記複数のグループからの前記１つまたは複数のグループを非アクティブにするための手段を含む、Ｃ１１に記載の装置。
［Ｃ１４］
前記複数のグループが、
共通チャネル干渉消去機能グループと、
制御チャネル干渉消去機能グループと、
データチャネル干渉消去機能グループとのうちの２つ以上を備える、Ｃ１１に記載の装置。
［Ｃ１５］
前記共通チャネル干渉消去機能グループが、１次同期信号（ＰＳＳ）と、２次同期信号（ＳＳＳ）と、物理ブロードキャストチャネル（ＰＢＣＨ）と、共通基準信号（ＣＲＳ）とのうちの１つまたは複数のための干渉消去に関係する干渉消去機能を含み、
前記制御チャネル干渉消去機能グループが、物理制御フォーマットインジケータチャネル（ＰＣＦＩＣＨ）と、物理ハイブリッド自動再送要求（ＨＡＲＱ）インジケータチャネル（ＰＨＩＣＨ）と、物理ダウンリンク制御チャネル（ＰＤＣＣＨ）と、拡張ＰＤＣＣＨ（ｅＰＤＣＣＨ）とのうちの１つまたは複数のための干渉消去に関係する干渉消去機能を含み、
前記データチャネル干渉消去機能グループが、物理ダウンリンク共有チャネル（ＰＤＳＣＨ）のための干渉消去に関係する干渉消去機能を含む、Ｃ１４に記載の装置。
［Ｃ１６］
基地局によってサービスされるモバイルデバイスからの現在の干渉消去機能報告を前記基地局において受信するための手段と、
前記基地局に対する前記モバイルデバイスの通信状態を判断するための手段と、
前記現在の干渉消去機能報告に少なくとも部分的に基づいて前記通信状態を変更するための手段とを備える、ワイヤレス通信の装置。
［Ｃ１７］
前記現在の干渉消去機能報告が、前記モバイルデバイスの複数の干渉消去機能のうちの１つまたは複数から前記モバイルデバイスによってグループ化された干渉消去機能の複数のグループのうちの干渉消去機能の０個以上のアクティブグループを含む、Ｃ１６に記載の装置。
［Ｃ１８］
前記通信状態を変更するための手段は、
干渉消去機能の前記０個以上のアクティブグループのうちの１つまたは複数を非アクティブにするために前記モバイルデバイスにシグナリングするための手段、ここにおいて、非アクティブ化のためにシグナリングされる干渉消去機能の前記０個以上のアクティブグループのうちの前記１つまたは複数が、前記現在の干渉消去機能報告に少なくとも部分的に基づいて判断される、を備える、Ｃ１７に記載の装置。
［Ｃ１９］
前記通信状態を変更するための手段が、
前記現在の干渉消去機能報告に少なくとも部分的に基づいて判断された１つまたは複数のサブフレーム中の送信のために前記モバイルデバイスをスケジュールするための手段を備える、Ｃ１７に記載の装置。
［Ｃ２０］
前記通信状態を変更するための手段は、
前記モバイルデバイスに関連するチャネル品質インジケータ（ＣＱＩ）プロセスのバックオフループを調整するための手段であって、前記調整することが、前記現在の干渉消去機能報告に少なくとも部分的に基づく、調整するための手段を備える、Ｃ１７に記載の装置。
［Ｃ２１］
プログラムコードを記録した非一時的コンピュータ可読媒体を備える、ワイヤレスネットワークにおけるワイヤレス通信のためのコンピュータプログラム製品であって、前記プログラムコードは、
モバイルデバイスの動作状態を判断するためのプログラムコードと、
前記モバイルデバイスの複数の干渉消去機能のうちの１つまたは複数を干渉消去機能の複数のグループにグループ化するためのプログラムコードと、
干渉消去機能の前記複数のグループからの１つまたは複数のグループを非アクティブにするためのプログラムコードと、
基地局に現在の干渉消去機能を報告するためのプログラムコード、ここにおいて、前記現在の干渉消去機能が、非アクティブにするための前記プログラムコードの実行後にアクティブなままである干渉消去機能の前記複数のグループからの０個以上のアクティブグループを備える、とを備える、コンピュータプログラム製品。
［Ｃ２２］
前記動作状態が、
前記モバイルデバイスの周囲の無線状態と、
前記モバイルデバイスのバッテリー電力レベルと、
前記モバイルデバイスの電力消費レートとのうちの１つまたは複数を備える、Ｃ２１に記載のコンピュータプログラム製品。
［Ｃ２３］
前記基地局から信号を受信するためのプログラムコードをさらに備え、
非アクティブにするための前記プログラムコードが、前記信号に応答して、干渉消去機能の前記複数のグループからの前記１つまたは複数のグループを非アクティブにするためのプログラムコードを含む、Ｃ２１に記載のコンピュータプログラム製品。
［Ｃ２４］
前記複数のグループが、
共通チャネル干渉消去機能グループと、
制御チャネル干渉消去機能グループと、
データチャネル干渉消去機能グループとのうちの２つ以上を備える、Ｃ２１に記載のコンピュータプログラム製品。
［Ｃ２５］
前記共通チャネル干渉消去機能グループが、１次同期信号（ＰＳＳ）と、２次同期信号（ＳＳＳ）と、物理ブロードキャストチャネル（ＰＢＣＨ）と、共通基準信号（ＣＲＳ）とのうちの１つまたは複数のための干渉消去に関係する干渉消去機能を含み、
前記制御チャネル干渉消去機能グループが、物理制御フォーマットインジケータチャネル（ＰＣＦＩＣＨ）と、物理ハイブリッド自動再送要求（ＨＡＲＱ）インジケータチャネル（ＰＨＩＣＨ）と、物理ダウンリンク制御チャネル（ＰＤＣＣＨ）と、拡張ＰＤＣＣＨ（ｅＰＤＣＣＨ）とのうちの１つまたは複数のための干渉消去に関係する干渉消去機能を含み、
前記データチャネル干渉消去機能グループが、物理ダウンリンク共有チャネル（ＰＤＳＣＨ）のための干渉消去に関係する干渉消去機能を含む、Ｃ２４に記載のコンピュータプログラム製品。
［Ｃ２６］
プログラムコードを記録した非一時的コンピュータ可読媒体を備える、ワイヤレスネットワークにおけるワイヤレス通信のためのコンピュータプログラム製品であって、前記プログラムコードが、
基地局によってサービスされるモバイルデバイスからの現在の干渉消去機能報告を前記基地局において受信するためのプログラムコードと、
前記基地局に対する前記モバイルデバイスの通信状態を判断するためのプログラムコードと、
前記現在の干渉消去機能報告に少なくとも部分的に基づいて前記通信状態を変更するためのプログラムコードとを備える、コンピュータプログラム製品。
［Ｃ２７］
前記現在の干渉消去機能報告が、前記モバイルデバイスの複数の干渉消去機能のうちの１つまたは複数から前記モバイルデバイスによってグループ化された干渉消去機能の複数のグループのうちの干渉消去機能の０個以上のアクティブグループを含む、Ｃ２６に記載のコンピュータプログラム製品。
［Ｃ２８］
前記通信状態を変更するためのプログラムコードは、
干渉消去機能の前記０個以上のアクティブグループのうちの１つまたは複数を非アクティブにするために前記モバイルデバイスにシグナリングするためのプログラムコード、ここにおいて、非アクティブ化のためにシグナリングされる干渉消去機能の前記１つまたは複数のアクティブグループのうちの前記１つまたは複数が、前記現在の干渉消去機能報告に少なくとも部分的に基づいて判断される、を備える、Ｃ２７に記載のコンピュータプログラム製品。
［Ｃ２９］
前記通信状態を変更するためのプログラムコードが、
前記現在の干渉消去機能報告に少なくとも部分的に基づいて判断された１つまたは複数のサブフレーム中の送信のために前記モバイルデバイスをスケジュールするためのプログラムコードを備える、Ｃ２７に記載のコンピュータプログラム製品。
［Ｃ３０］
前記通信状態を変更するためのプログラムコードは、
前記モバイルデバイスに関連するチャネル品質インジケータ（ＣＱＩ）プロセスのバックオフループを調整するためのプログラムコードであって、前記調整することが、前記現在の干渉消去機能報告に少なくとも部分的に基づく、調整するためのプログラムコードを備える、Ｃ２７に記載のコンピュータプログラム製品。
［Ｃ３１］
少なくとも１つのプロセッサと、
前記少なくとも１つのプロセッサに結合されたメモリとを備える、ワイヤレス通信のために構成された装置であって、
前記少なくとも１つのプロセッサは、
モバイルデバイスの動作状態を判断することと、
前記モバイルデバイスの複数の干渉消去機能のうちの１つまたは複数を干渉消去機能の複数のグループにグループ化することと、
干渉消去機能の前記複数のグループからの１つまたは複数のグループを非アクティブにすることと、
基地局に現在の干渉消去機能を報告すること、ここにおいて、前記現在の干渉消去機能が、非アクティブ後にアクティブなままである干渉消去機能の前記複数のグループからの０個以上のアクティブグループを備える、と
を行うように構成された、装置。
［Ｃ３２］
前記動作状態が、
前記モバイルデバイスの周囲の無線状態と、
前記モバイルデバイスのバッテリー電力レベルと、
前記モバイルデバイスの電力消費レートとのうちの１つまたは複数を備える、Ｃ３１に記載の装置。
［Ｃ３３］
前記少なくとも１つのプロセッサが、
前記基地局から信号を受信する、および
ここにおいて、非アクティブにするための前記少なくとも１つのプロセッサの前記構成が、前記信号に応答して、干渉消去機能の前記複数のグループからの前記１つまたは複数のグループを非アクティブにするための構成を含む、ようにさらに構成されたＣ３１に記載の装置。
［Ｃ３４］
前記複数のグループが、
共通チャネル干渉消去機能グループと、
制御チャネル干渉消去機能グループと、
データチャネル干渉消去機能グループとのうちの２つ以上を備える、Ｃ３１に記載の装置。
［Ｃ３５］
前記共通チャネル干渉消去機能グループが、１次同期信号（ＰＳＳ）と、２次同期信号（ＳＳＳ）と、物理ブロードキャストチャネル（ＰＢＣＨ）と、共通基準信号（ＣＲＳ）とのうちの１つまたは複数のための干渉消去に関係する干渉消去機能を含み、
前記制御チャネル干渉消去機能グループが、物理制御フォーマットインジケータチャネル（ＰＣＦＩＣＨ）と、物理ハイブリッド自動再送要求（ＨＡＲＱ）インジケータチャネル（ＰＨＩＣＨ）と、物理ダウンリンク制御チャネル（ＰＤＣＣＨ）と、拡張ＰＤＣＣＨ（ｅＰＤＣＣＨ）とのうちの１つまたは複数のための干渉消去に関係する干渉消去機能を含み、
前記データチャネル干渉消去機能グループが、物理ダウンリンク共有チャネル（ＰＤＳＣＨ）のための干渉消去に関係する干渉消去機能を含む、Ｃ３４に記載の装置。
［Ｃ３６］
少なくとも１つのプロセッサと、
前記少なくとも１つのプロセッサに結合されたメモリとを備える、ワイヤレス通信のために構成された装置であって、
前記少なくとも１つのプロセッサが、
基地局によってサービスされるモバイルデバイスからの現在の干渉消去機能報告を前記基地局において受信することと、
前記基地局に対する前記モバイルデバイスの通信状態を判断することと、
前記現在の干渉消去機能報告に少なくとも部分的に基づいて前記通信状態を変更することと
を行うように構成された、装置。
［Ｃ３７］
前記現在の干渉消去機能報告が、前記モバイルデバイスの複数の干渉消去機能のうちの１つまたは複数から前記モバイルデバイスによってグループ化された干渉消去機能の複数のグループのうちの干渉消去機能の０個以上のアクティブグループを含む、Ｃ３６に記載の装置。
［Ｃ３８］
前記通信状態を変更するための前記少なくとも１つのプロセッサの構成は、
干渉消去機能の前記０個以上のアクティブグループのうちの１つまたは複数を非アクティブにするために前記モバイルデバイスにシグナリングすること、ここにおいて、非アクティブ化のためにシグナリングされる干渉消去機能の前記１つまたは複数のアクティブグループのうちの前記１つまたは複数が、前記現在の干渉消去機能報告に少なくとも部分的に基づいて判断される、を行うための構成を備える、Ｃ３７に記載の装置。
［Ｃ３９］
前記通信状態を変更するための前記少なくとも１つのプロセッサの構成が、
前記現在の干渉消去機能報告に少なくとも部分的に基づいて判断された１つまたは複数のサブフレーム中の送信のために前記モバイルデバイスをスケジュールすることを行うための構成を備える、Ｃ３７に記載の装置。
［Ｃ４０］
前記通信状態を変更するための前記少なくとも１つのプロセッサの構成は、
前記モバイルデバイスに関連するチャネル品質インジケータ（ＣＱＩ）プロセスのバックオフループを調整することであって、前記調整することが、前記現在の干渉消去機能報告に少なくとも部分的に基づく、調整することを行うための構成を備える、Ｃ３７に記載の装置。
【図１】
0005925902.tif 000002
【図２】
0005925902.tif 000003
【図３】
0005925902.tif 000004
【図４】
0005925902.tif 000005
【図５】
0005925902.tif 000006
【図６】
0005925902.tif 000007
【図７】
0005925902.tif 000008
【図８】
0005925902.tif 000009
【図９】
0005925902.tif 000010
【図１０】
0005925902.tif 000011